(57)【特許請求の範囲】
【請求項１】
光コネクタのプラグと接続する光コネクタのソケットであって、前記プラグが挿入される挿入穴部が形成されたハウジング部と、前記挿入穴部の入口側に軸部を有するヒンジ機構によって取り付けられ、この挿入穴部を略閉塞するためのシャッタ部と、このシャッタ部を前記入口側へ付勢する弾性体部とを具備しており、前記挿入穴部は、前記シャッタ部を格納するスペースを有し、前記プラグを挿入穴部に挿入する際に、シャッタ部は、プラグの先端部によって押圧されて挿入穴部の内側に入り込み、接続完了すると前記スペースに格納される光コネクタのソケットにおいて、
前記ハウジング部は、シャッタ部が取り付けられる穴部を有する第１のハウジング部と、前記第１のハウジング部が挿入される穴部を有する第２のハウジング部とを有しており、
第１のハウジング部の穴部の入口側上部の両側面には、前記シャッタ部の取り付けに伴って前記軸部がセットされる一対の溝がプラグ挿脱方向に向けて設けられており、前記第２のハウジング部には、前記第１のハウジング部の取り付けに伴って前記溝にその開放端から挿入可能な一対の凸部がプラグ挿脱方向に向けて設けられており、
前記第１のハウジング部が前記第２のハウジング部の穴部に取り付けられると、前記溝にセットされた前記軸部は第１のハウジング部の溝と第２のハウジング部の凸部とで挟持され、
前記挿入穴部の奥側には、光素子が設けられる素子部屋部を有しており、この素子部屋部は、前記第１のハウジング部に当該第１のハウジング部の穴部に連通して設けられた凹状の前面側部と、前記第２のハウジング部の穴部のプラグ挿入方向の奥側部に設けられた凹状の背面側部とからなり、
前記光素子は、前記素子部屋部において、前記第１のハウジング部と、前記第２のハウジング部とで挟持固定されることを特徴とする光コネクタのソケット。
【請求項２】
前記シャッタ部は、前記スペースに格納された状態で、プラグの側面側を保持することを特徴とする請求項１記載の光コネクタのソケット。
【請求項３】
前記プラグが前記挿入穴部に挿入された状態で、前記プラグの側面に設けられた位置決め用凸部が前記挿入穴部のスペース対向面に設けられた位置決め用係合部に嵌まり込むようにしたことを特徴とする請求項１又は２記載の光コネクタのソケット
【請求項４】
請求項１、２又は３記載の光コネクタのソケットがデジタルオーディオ機器に設けられることを特徴とする光コネクタのソケット。
【発明の詳細な説明】
【０００１】
【発明の属する技術分野】
本発明は、据置用のＤＶＤ( 登録商標) 、ＴＶ、ＳＴＢ（セットトップボックス：衛星放送のアダプタ装置）、ＣＤ、ＭＤ( 登録商標) 、アンプ等のデジタル信号を出力または／および入力する装置に設けられている光コネクタのソケットであって、特に、角型の光コネクタのプラグと接続する光コネクタのソケットに関する。
【０００２】
【従来の技術】
光コネクタのソケット（以下、単に「ソケット」とも呼ぶ。）は、このソケットの挿入穴部に、光コネクタのプラグが挿入されていないときに、埃等が入り込むと、挿入穴部の奥側に設置されている光素子が汚れる等して、光伝達効率が落ちて、所定の光信号伝達ができなくなるおそれがある。そのため、従来の光コネクタのソケットの場合には、一般的に、挿入穴部の内部構造に略等しい形状を有したキャップが別途準備されていて、プラグが挿入されていないときに、挿入穴部に嵌め込まれることによって、埃等の侵入を防いでいる（例えば、特許文献１参照）。
【０００３】
【特許文献１】
実開平７−１９７１３号公報（第４頁  図３）
【０００４】
【発明が解決しようとする課題】
しかしながら、このキャップは、ソケットとは分離したものであるため、使用時にキャップをはずした後に紛失し易い。紛失して、そのままにしておくと、上述したように、光素子が汚れる等して、所定の光信号伝達ができなくなるおそれが高くなる。つまり誤動作する場合があり、光コネクタのソケットの信頼性が低くなっていた。
【０００５】
一方、このようにソケットの挿入穴部に、光コネクタのプラグが挿入されていないとき、つまり信号伝達をする必要のないときでも、この光コネクタのソケットが設けられている装置の電源がオンされると、光コネクタのソケットの光素子が常時動作状態となっていた。そのため、光素子の寿命、ひいてはソケットの寿命を大幅に縮めていた。これにより、光素子の汚れの程度が比較的小さくても、所定の光信号伝達ができなくなり易かった。よって、この点からも光コネクタのソケットの信頼性が低くなっていた。
【０００６】
また、このように装置の電源がオンされると、光素子が常時動作状態となっていたために、装置全体の消費電力を押し上げるという好ましからざる状態にあった。
【０００７】
本発明の主たる目的は、光コネクタのソケットの信頼性を高く維持することのできる光コネクタのソケットを提供することにある。より具体的には、埃等の侵入を防止する手段や光素子の寿命を延ばす手段を一体化した光コネクタのソケットを提供することにある。また、併せて、光コネクタのソケットが設けられた装置の消費電力の低減を図ることのできる光コネクタのソケットを提供することにある。
【０００８】
【課題を解決するための手段】
上記問題を解決するために、本発明の請求項１に係る光コネクタのソケットは、光コネクタのプラグと接続する光コネクタのソケットであって、前記プラグが挿入される挿入穴部が形成されたハウジング部と、前記挿入穴部の入口側に軸部を有するヒンジ機構によって取り付けられ、この挿入穴部を略閉塞するためのシャッタ部と、このシャッタ部を前記入口側へ付勢する弾性体部とを具備しており、前記挿入穴部は、前記シャッタ部を格納するスペースを有し、前記プラグを挿入穴部に挿入する際に、シャッタ部は、プラグの先端部によって押圧されて挿入穴部の内側に入り込み、接続完了すると前記スペースに格納される光コネクタのソケットであって、前記ハウジング部は、シャッタ部が取り付けられる穴部を有する第１のハウジング部と、前記第１のハウジング部が挿入される穴部を有する第２のハウジング部とを有しており、第１のハウジング部の穴部の入口側上部の両側面には、前記シャッタ部の取り付けに伴って前記軸部がセットされる一対の溝がプラグ挿脱方向に向けて設けられており、前記第２のハウジング部には、前記第１のハウジング部の取り付けに伴って前記溝にその開放端から挿入可能な一対の凸部がプラグ挿脱方向に向けて設けられており、前記第１のハウジング部が前記第２のハウジング部の穴部に取り付けられると、前記溝にセットされた前記軸部は第１のハウジング部の溝と第２のハウジング部の凸部とで挟持され、前記挿入穴部の奥側には、光素子が設けられる素子部屋部を有しており、この素子部屋部は、前記第１のハウジング部に当該第１のハウジング部の穴部に連通して設けられた凹状の前面側部と、前記第２のハウジング部の穴部のプラグ挿入方向の奥側部に設けられた凹状の背面側部とからなり、前記光素子は、前記素子部屋部において、前記第１のハウジング部と、前記第２のハウジング部とで挟持固定される。よって、本発明の請求項１に係る光コネクタのソケットの場合には、前記第１ハウジング部を第２ハウジング部の穴部に取り付けることにより、前記シャッタの軸部及び光素子の両方を挟持し、当該シャッタ部及び光素子を簡単に取り付けることができるので、量産性に優れている。
【０００９】
本発明の請求項２に係る光コネクタのソケットは、前記シャッタ部は、前記スペースに格納された状態で、プラグの側面側を保持するようになっている。よって、本発明の請求項２に係る光コネクタのソケットの場合には、挿入後のプラグの保持力をシャッタ部がプラグの保持に寄与することで補い、一般的なＥＩＡＪ規格のソケットの場合に比較的近い保持力によって保持されていることとなる。
【００１０】
本発明の請求項３に係る光コネクタのソケットは、前記プラグが前記挿入穴部に挿入された状態で、前記プラグの側面に設けられた位置決め用凸部が前記挿入穴部のスペース対向面に設けられた位置決め用係合部に嵌まり込むようになっている。よって、プラグの前記挿入穴部に挿入された状態での位置決めが確実となる。
【００１１】
本発明の請求項４記載の光コネクタのソケットはＤＶＤ( 登録商標) 、ＴＶ、ＳＴＢ（セットトップボックス）、ＣＤ、ＭＤ( 登録商標) 、アンプ等のデジタルオーディオ機器に設けられることで特に有益に機能する。
【００１２】
【発明の実施の形態】
以下、本発明の第１の実施の形態に係る光コネクタのソケットを図１〜図６を参照しつつ説明する。尚、この本発明の第１の実施の形態に係る光コネクタのソケットは、本発明の請求項１に係る光コネクタのソケットの実施の形態を示すものである。
【００１３】
図１は本発明の第１の実施の形態に係る光コネクタのソケットを示す一部透視した図であって、同図（Ａ）は正面図、同図（Ｂ）は側面図、同図（Ｃ）は断面図、同図（Ｄ）は底面図、図２は本発明の第１の実施の形態に係る光コネクタのソケットに用いられるハウジング部を示す図であって、同図（Ａ）は正面図、同図（Ｂ）は側面図、同図（Ｃ）は断面図、同図（Ｄ）は底面図、図３は本発明の第１の実施の形態に係る光コネクタのソケットに用いられるシャッタ部を示す図であって、同図（Ａ）は背面図、同図（Ｂ）は同図（Ａ）のＡ−Ａ線での断面図、同図（Ｃ）は側面図、同図（Ｄ）は正面図、図４は本発明の第１の実施の形態に係る光コネクタのソケットに用いられる弾性体部と軸部とを示す図であって、同図（Ａ）は弾性体部の正面図、同図（Ｂ）は弾性体部の側面図、同図（Ｃ）は軸部の正面図である。
【００１４】
また、図５は本発明の第１の実施の形態に係る光コネクタのソケットに、ＥＩＡＪ規格の角型プラグを挿入したときの状態を説明する側面視概略的説明図であって、同図（Ａ）は挿入直前の状態図、同図（Ｂ）〜同図（Ｄ）は挿入途中の状態図、同図（Ｅ）は挿入完了時の状態図、図６は本発明のすべての実施の形態に係る光コネクタのソケットに接続させるＥＩＡＪ規格の角型プラグを示す図であって、同図（Ａ）は正面図、同図（Ｂ）は一部破断した側面図である。
【００１５】
本発明の第１の実施の形態に係る光コネクタのソケット２００は、図６に示されるようなＥＩＡＪ規格の角型プラグ１００と接続するものである。
【００１６】
角型プラグ１００は、光ファイバ１１０の端部側に設けられており、略直方体状のプラグ本体部１２０と、このプラグ本体部１２０の先端側に突設された係合凸部１５０とからなる。
【００１７】
係合凸部１５０は、正面視においてホームベースの下側をカットしたような略六角形状（以下、この形状を「正面視略六角形状」と略す。）をしており、全体が後述のソケット２００等の挿入穴部２２０等に係合される部分である。この係合凸部１５０は、プラグ本体部１２０側の部分であり、その先端側に凹を有する係合凸部本体１５１と、この係合凸部本体１５１の先端側であって、前記凹の中心部分に突設され、後述のソケット２００等のプラグ先端保持部２２９等（または突出部９００）と係合するプラグ先端部１５９とを有している。前記凹内のプラグ先端部１５９の周囲は凹部１５２となっている。
【００１８】
係合凸部本体１５１は、正面視略六角形状をしており、その両側面に、後述のソケット２００等の挿入穴部２２０等のプラグガイド用凹部２２１、２２１と係合する挿入ガイド用凸部１５１ａ、１５１ａが突設されている。係合凸部本体１５１は、その上下面に、位置決め用凸部１５１ｂ、１５１ｂが突設されている。係合凸部本体１５１は、下面側に、正面視略六角形状の２つの斜辺部分の斜辺面１５１ｃ、１５１ｃを有している。係合凸部本体１５１は、その先端面にテーパ１５１ｔが設けられている。
【００１９】
凹部１５２は、後述のソケット２００等の挿入穴部２２０等の奥側に設けられているプラグ先端保持部２２９等（または突出部９００）が、後述の図７の破線に示されるように、ＥＩＡＪ規格の奥行き寸法を有したもの（つまり突出部９００）であれば、この突出部分と係合する部分である。
【００２０】
プラグ先端部１５９は、正面視円形であり、光ファイバ１１０の先端側部分の外周を保護樹脂部１５９ａで覆った部分である。この保護樹脂部１５９ａの先端には、テーパ１５９ｔが設けられている。尚、保護樹脂部１５９ａは、係合凸部本体１５１の延設部分である。つまり、係合凸部本体１５１も樹脂製である。
【００２１】
本発明の第１の実施の形態に係る光コネクタのソケット２００は、図１に示されるように、プラグ１００が挿入される挿入穴部２２０を有したハウジング部２０５と、この挿入穴部２２０の入口側にヒンジ構造によって取り付けられ、この挿入穴部２２０を略閉塞するためのシャッタ部２１０と、このシャッタ部２１０を前記入口側へ付勢する弾性体部２３０と、このシャッタ部２１０と弾性体部２３０とを支え、前記ヒンジ構造のための部材となっている軸部２４０と、挿入穴部２２０の奥側に設けられる光素子２９０とを備えている。
【００２２】
ハウジング部２０５は、図２に示されるように、略直方体であり、その正面下部側に、挿入穴部２２０が開口されている。その挿入穴部２２０の奥側に、光素子２９０が設置される素子部屋部２５０が設けられている。この挿入穴部２２０と素子部屋部２５０とを連通するように、プラグ先端保持部２２９としての開口が設けられている。ハウジング部２０５は、その上部側に、固定用透孔２８０が設けられている。
【００２３】
挿入穴部２２０は、左右対称に形成されており、プラグ１００の係合凸部１５０（ただし、プラグ先端保持部２２９に嵌まり込むプラグ先端部１５９の先端側部分を除く。）を挿入する空間２２０Ｈと、この空間２２０Ｈに延設した、シャッタ部２１０を水平格納可能なスペース２２５とを有している。挿入穴部２２０の入口開口面の正面形状は、図２（Ａ）等に示されるように、その下部側の形状が係合凸部１５０の正面外形形状であり、この下部側の形状を、後述のシャッタ部２１０の上部側形状分延設した形状となっている。
【００２４】
挿入穴部２２０の奥行き方向寸法は、後述のシャッタ部２１０の高さ方向寸法よりも若干大きい程度である。また、挿入穴部２２０の奥行き方向寸法は、挿入穴部２２０に挿入されたプラグ１００の係合凸部１５０の先端面が、プラグ先端保持部２２９の開口を経由して、光素子２９０の前面から所定の微小寸法手前の位置に配置されうる寸法である。
【００２５】
挿入穴部２２０は、その内面の両側面およびそれに連なる底面の形状が、プラグ１００の係合凸部１５０を水平に挿入することができるように形成されている。よって、挿入穴部２２０の両側面には、係合凸部１５０の挿入ガイド用凸部１５１ａ、１５１ａと係合するプラグガイド用凹部２２１、２２１が設けられている。また、係合凸部１５０の斜辺面１５１ｃ、１５１ｃに対応する部分として、挿入穴部２２０の下部側両側面に、傾斜面部２２２、２２２が設けられている。更に、挿入穴部２２０の底面には、下側の位置決め用凸部１５１ｂが挿入される位置決め用透孔２２３が設けられている。
【００２６】
傾斜面部２２２には、後述のシャッタ部２１０の係止用凸部２１１ａの通過と係止（この係止とは、シャッタ部２１０が垂直状態よりも前面側に回動させないがための係止をいう。）のため、貫通している長孔２２２ａが形成されている。
【００２７】
この長孔２２２ａの幅寸法は、係止用凸部２１１ａが入り込む寸法である。また、その長手方向寸法は、挿入穴部２２０の入口側にヒンジ構造によって取り付けられたシャッタ部２１０が、挿入穴部２２０の奥側に回動させられたときに、係止用凸部２１１ａが挿入穴部２２０の内面に引っ掛からないような長さに形成されている。長孔２２２ａの前面側の端部の位置は、シャッタ部２１０が、挿入穴部２２０の入口側を略閉塞した状態、つまり、シャッタ部２１０が垂直状態となっている状態において、係止用凸部２１１ａが配置されている所である。よって、シャッタ部２１０の下部側は、垂直状態よりも前方に回動しない。
【００２８】
挿入穴部２２０の入口側上部の両側面には、軸部２４０の両端部分を支えるための透孔２２６、２２６が開口されている。
【００２９】
シャッタ部２１０は、挿入穴部２２０の入口に嵌まり込むことが可能（もちろん入口から奥側にも嵌まり込むことが可能）な、正面視略六角形状に形成されている。この正面視形状は、挿入穴部２２０の入口開口面の形状から、プラグガイド用凹部２２１、２２１の形状部分を取り除いた形状に、係止用凸部２１１ａ、２１１ａを突設した形状となっている。
【００３０】
係止用凸部２１１ａ、２１１ａは、それぞれ、挿入穴部２２０の傾斜面部２２２、２２２に対応する斜辺面２１１、２１１に突設されている。シャッタ部２１０の正面側には、図３（Ｄ）に示されるように、プラグ１００の係合凸部１５０の上側の位置決め用凸部１５１ｂが嵌まり込む位置決め用凹部２１２が形成されている。
【００３１】
シャッタ部２１０の背面側上部には、図３（Ｂ）に示されるように、軸部２４０を保持するための透孔２１４を有した突出部２１３が設けられている。突出部２１３の中央部分には、図３（Ａ）に示されるように、後述の弾性体部２３０の本体部２３０ａが挿入される凹部２１５が形成されている。
【００３２】
弾性体部２３０は、図４（Ａ）および（Ｂ）に示されるように、ねじりコイルバネである。弾性体部２３０は、コイル状のバネ本体部２３０ａと、このバネ本体部２３０ａの一端から延設された逆Ｌ字状延設部２３０ｂと、バネ本体部２３０ａの他端から延設された棒状延設部２３０ｃとを有している。バネ本体部２３０ａの透孔２３０ａ1 には、軸部２４０が嵌め込まれるようになっている。逆Ｌ字状延設部２３０ｂと棒状延設部２３０ｃとの角度は、シャッタ部２１０に付勢力を与えることができるように、少なくとも９０°以上とされている。
【００３３】
軸部２４０は、図４（Ｃ）に示されるように、円柱状の棒である。軸部２４０の長さ寸法は、シャッタ部２１０の横幅寸法よりも大きく、且つ、挿入穴部２２０の両側面に設けられている透孔２２６の両端間寸法程度である。軸部２４０の太さは、シャッタ部２１０の透孔２１４に係合可能な大きさである。
【００３４】
このように構成されたソケット２００は、例えば、次のようにして組み立てられる。尚、この組み立てには、図示しない組み立て専用棒と専用治具とを使用する。組み立て専用棒は、軸部２４０と同様の形状の棒であって、その長さ寸法が、シャッタ部２１０の横幅寸法と同じまたは若干短いものである。専用治具は、シャッタ部２１０を挿入穴部２２０内にて水平セット可能とするためのものであって、側面視略Ｌ字状のシャッタ部２１０搭載台と、この搭載台から延設している把手とを有したものである。搭載台の大きさは、もちろん挿入穴部２２０の大きさよりも小さい。
【００３５】
先ず、シャッタ部２１０の凹部２１５に、弾性体部２３０をセットしつつ、前記組み立て用専用棒を、シャッタ部２１０の両端からはみ出さないように、透孔２１４と透孔２３０ａ1 とに挿入しておく。この状態のシャッタ部２１０を、その表側を下側にして、水平状態とした上で、前記専用治具に載置する。
【００３６】
そして、シャッタ部２１０を載置した専用治具を挿入穴部２２０に挿入する。その際、シャッタ部２１０の背面に保持されている弾性体部２３０は、その両端ともに挿入穴部２２０内に納めるように押し曲げつつ、挿入穴部２２０の上部側のスペース２２５に挿入される。この状態において、シャッタ部２１０は、組み立て後に回動されて水平となったときと同じ状態にされている。
【００３７】
この状態を維持しつつ、軸部２４０を、ハウジング部２０５の透孔２２６に挿入する。これにより、前記組み立て用専用棒の代わりに、軸部２４０が所定の組み立て後の位置に納まる。専用治具を挿入穴部２２０から抜き取り、その後に、ハウジング部２０５の素子部屋部２５０に光素子２９０を設置すると、ソケット２００の組み立てが完了する。
【００３８】
次に、ソケット２００の機構動作を図１および図５等を参照しつつ説明する。ソケット２００は、プラグ１００を挿入していない状態では、シャッタ部２１０が弾性体部２３０によって挿入穴部２２０の入口側に付勢されているため、挿入穴部２２０の入口側がシャッタ部２１０によって略閉塞されている〔図１および図５（Ａ）の状態〕。
【００３９】
図５（Ｂ）に示されるように、プラグ１００を挿入穴部２２０内に、前記付勢力以上の力で、挿入し始めると、プラグ１００のプラグ先端部１５９にシャッタ部２１０の前面（おもての面）が押されて、軸部２４０を回動中心として回動し、シャッタ部２１０は、その先端側が挿入穴部２２０内部に入り込んでくる。
【００４０】
更に、プラグ１００を挿入穴部２２０内に押し進めると、プラグ１００の係合凸部本体１５１の下側の端部が、挿入穴部２２０の入口側底面に摺接し、一方、プラグ１００の係合凸部本体１５１の上側の端部がシャッタ部２１０の前面に当接するようになる〔図５（Ｃ）の状態〕。ここまでの、シャッタ部２１０の回動と前記係合凸部本体１５１の下側の端部の挿入穴部２２０の入口側底面への摺接開始とは、プラグ１００のテーパ１５１ｔ、１５９ｔによって、滑らかにされる。
【００４１】
更に、プラグ１００を挿入穴部２２０内に押し進めると、図５（Ｄ）に示されるように、シャッタ部２１０は、挿入穴部２２０のスペース２２５において水平状態に格納される。更に、プラグ１００を挿入穴部２２０内に圧入ぎみに押し進め、係合凸部本体１５１の基端部まで、挿入穴部２２０内に挿入完了すると、図５（Ｅ）に示される状態となる。
【００４２】
つまり、プラグ先端部１５９の先端側は、プラグ先端保持部２２９に保持されている。このプラグ先端部１５９の先端面は、光素子２９０（図５では図示省略しているので、図１参照）の前面の所定微小距離手前に配置されていることとなる。また、係合凸部本体１５１は、挿入穴部２２０の両側面から底面にかけての面と、シャッタ部２１０の前面（尚、付勢力も付加されている。）とによって保持されていることとなる。
【００４３】
尚、図５においては図示省略しているが、位置決め用凸部１５１ｂ、１５１ｂ（図６参照）の内、下側の位置決め用凸部１５１ｂは、位置決め用透孔２２３に挿入されており、一方、上側の位置決め用凸部１５１ｂは、シャッタ部２１０の位置決め用凹部２１２に挿入されている。これらによって、プラグ１００は、一般的なＥＩＡＪ規格のソケットの場合に比較的近い保持力によって保持されていることとなる。
【００４４】
逆に、プラグ１００を挿入穴部２２０から抜く場合には、図５の状態が全く逆となるだけである。尚、シャッタ部２１０は、弾性体部２３０による付勢力によって、挿入穴部２２０の入口側に自動復帰する。
【００４５】
このように構成され、動作するソケット２００は、このソケット２００を取り付ける装置のキャビネットにその殆どの部分が覆われ、表側に露出するのは、挿入穴部２２０付近のみとなっている。したがって、ソケット２００の光素子２９０の前面側を汚す原因となる埃等の主たる侵入ルートとしては、挿入穴部２２０の入口側だけであり、その入口側は、その侵入を阻止すべく設けられているシャッタ部２１０によってガードされていることとなる。
【００４６】
尚、本発明の第１の実施の形態に係る光コネクタのソケット２００において、シャッタ部２１０の構造と、軸部２４０の挿入方法とをマイナーチェンジしたソケット２００Ａを、図７および図８を参照しつつ説明する。図７は本発明の第１の実施の形態に係る光コネクタのソケットのマイナーチェンジ品を示す図で、同図（Ａ）は平面図、同図（Ｂ）は正面図、同図（Ｃ）は側面視一部透視説明図、図８は本発明の第１の実施の形態に係る光コネクタのソケットのマイナーチェンジ品に用いられるシャッタ部と、弾性体部とを示す図であって、同図（Ａ）はシャッタ部の側面図、同図（Ｂ）はシャッタ部の背面図、同図（Ｃ）は弾性体部の側面図、同図（Ｄ）は弾性体部の正面図である。尚、上述のソケット２００と共通機能の部分には、同じ番号を付した。
【００４７】
ソケット２００Ａのシャッタ部２１０Ａは、組み立ての際に、軸部２４０を横から挿入するのではなく、背面側に圧入するようにした点が構造上の大きな違いである。シャッタ部２１０Ａは、シャッタ部２１０同様、正面視略六角形状に形成されている。この正面視形状は、挿入穴部２２０の入口開口面の形状から、プラグガイド用凹部２２１、２２１の形状部分を取り除いた形状に、係止用凸部２１１ａ、２１１ａを突設した形状となっている。
【００４８】
シャッタ部２１０Ａの正面側には、プラグ１００の係合凸部１５０の上側の位置決め用凸部１５１ｂが嵌まり込む位置決め用凹部２１２Ａが形成されている。この位置決め用凹部２１２Ａの上部側には、位置決め用凸部１５１ｂを呼び込むための凹部２１６Ａが設けられている。
【００４９】
シャッタ部２１０Ａの背面側上部には、軸部２４０を保持するための側面視略Ｃ字状の凹部２１４Ａを有した突出部２１３Ａが設けられている。突出部２１３Ａの中央部分には、後述の弾性体部２３０Ａの本体部２３０Ａａと、棒状延設部２３０Ａｂとが挿入される凹部２１５Ａが形成されている。
【００５０】
弾性体部２３０Ａは、ねじりコイルバネである。弾性体部２３０Ａは、コイル状のバネ本体部２３０Ａａと、このバネ本体部２３０Ａａの一端と他端とから延設された棒状延設部２３０Ａｂ、２３０Ａｂとを有している。棒状延設部２３０Ａｂと２３０Ａｂとの角度は、シャッタ部２１０Ａに付勢力を与えることができるように、少なくとも９０°以上とされている。
【００５１】
尚、ソケット２００Ａのハウジング２０５Ａには、ソケット２００のハウジング２０５に設けられていた透孔２２６の代わりに、軸部２４０を上部側から挿入可能であって、挿入穴部２２０の幅寸法よりも長い長孔２２８Ａが設けられている。この長孔２２８Ａの中央部には、弾性体部２３０Ａを折り曲げた状態（２つの棒状延設部２３０Ａｂが平行となるまで曲げた状態）で、挿入穴部２２０内側に挿入可能とするために長孔２２８Ａを切欠きして穴部２２８Ａ１、２２８Ａ１が設けられている。
【００５２】
このようなソケット２００Ａは、次のようにして組み立てられる。先ず、軸部２４０の中央に弾性体部２３０Ａを挿入する。この状態の軸部２４０を、弾性体部２３０Ａを折り曲げた状態にしつつ、長孔２２８Ａと穴部２２８Ａ１、２２８Ａ１とに挿入する。この状態における弾性体部２３０Ａに対して、シャッタ部２１０の凹部２１５Ａを対応させつつ、軸部２４０に、シャッタ部２１０Ａの側面視略Ｃ字状の凹部２１４Ａを押しつけて、シャッタ部２１０Ａのセットを完了させる。その後に、ハウジング部２０５Ａの素子部屋部２５０に光素子２９０を設置すると、ソケット２００Ａの組み立てが完了する。
【００５３】
ソケット２００Ａの機構動作は、ソケット２００の機構動作と基本的に同じであるので、その説明は省略する。
【００５４】
本発明の第１の実施の形態に係る光コネクタのソケット２００において、プラグ先端保持部２２９は、挿入穴部２２０側に突出していないとした。しかし、図９に示されるように、シャッタ部２１０の回動によって接触しない範囲で、プラグ先端保持部２２９に円形凸部２２９ｔを延設して、突出部２２９Ｔとしてもよい。図９は本発明の第１の実施の形態に係る光コネクタのソケットのプラグ先端保持部に円形凸部を延設して突出部とした状態、およびＥＩＡＪ規格の突出部とを説明するための側面視概略的説明図である。この突出部２２９Ｔの奥行き寸法を長くできるほど、プラグ１００の保持力を増すことができる。
【００５５】
ところで、図９においては、ＥＩＡＪ規格の突出部９００の状況を破線で図示している。このように、プラグ１００がＥＩＡＪ規格の角型プラグである場合には、ソケット２００（または２００Ａ）のような構造では、ＥＩＡＪ規格に対応した奥行き寸法の突出部９００を設けることはできない。上述したように、ＥＩＡＪ規格の突出部９００のように、突出した部分の奥行き寸法を長くする方が、プラグ１００の保持力を増すことができる。そのため、プラグ１００の抜け防止上、ＥＩＡＪ規格の突出部９００をソケットに設けることが好ましい。
【００５６】
そこで、ＥＩＡＪ規格の突出部９００をソケットに設けることを可能とした構造を本発明の第２の実施の形態に係る光コネクタのソケット２００Ｗとして、図１０および図１１を参照しつつ説明する。
【００５７】
図１０は本発明の第２の実施の形態に係る光コネクタのソケットに、ＥＩＡＪ規格の角型プラグを挿入したときの状態を説明する側面視概略的説明図であって、同図（Ａ）は挿入直前の状態図、同図（Ｂ）〜同図（Ｄ）は挿入途中の状態図、同図（Ｅ）は挿入完了時の状態図、図１１は本発明の第２の実施の形態に係る光コネクタのソケットに、ＥＩＡＪ規格の角型プラグを挿入する状態を説明するために拡大して示した側面視概略的説明図である。
【００５８】
本発明の第２の実施の形態に係る光コネクタのソケット２００Ｗは、本発明の第１の実施の形態に係る光コネクタのソケット２００のシャッタ部２１０（または２１０Ａ）が１枚からなっていたのに対して、２枚に分割したシャッタ部２１０Ｗ１、２１０Ｗ２を有するとした。また、後述のように、シャッタ部２１０Ｗ１、２１０Ｗ２は回動されるのみならずガイド機構としての透孔２２７Ｗ１、２２７Ｗ２によってガイドされて移動もされるようにした。これら２つの手段によって、シャッタ部２１０Ｗ１、２１０Ｗ２は、その長さ寸法を極力短くし、ＥＩＡＪ規格の突出部９００に接触しないようにしている。
【００５９】
ソケット２００Ｗは、具体的には、光コネクタのプラグ１００と接続する光コネクタのソケットであって、プラグ１００が挿入される挿入穴部２２０Ｗを有したハウジング部２０５Ｗと、この挿入穴部２２０Ｗの入口側に、軸部２４０を伴うヒンジ構造によって取り付けられ、この挿入穴部２２０Ｗを略閉塞するための２つのシャッタ部２１０Ｗ１、２１０Ｗ２と、この２つのシャッタ部２１０Ｗ１、２１０Ｗ２をそれぞれ前記入口側へ付勢する弾性体部２３０、２３０（本発明の第１の実施の形態に係る光コネクタのソケット２００の弾性体部２３０と基本的に同じ。）と、挿入穴部２２０Ｗの奥側に設けた図示しない光素子とを備えている。
【００６０】
挿入穴部２２０Ｗは、プラグ１００の係合凸部１５０を挿入する空間２２０Ｈ′と、この空間２２０Ｈ′に延設した、前記入口側の縁部に２つのシャッタ部２１０Ｗ１、２１０Ｗ２をそれぞれ独立して格納するスペース２２５Ｗ１、２２５Ｗ２と、各シャッタ部２１０Ｗ１、２１０Ｗ２を前記入口側と前記各スペース２２５Ｗ１、２２５Ｗ２との間でガイドするガイド機構としての長孔状の透孔２２７Ｗ１、２２７Ｗ２（図１１参照）と、奥側に設けられたＥＩＡＪ規格の突出部９００とを有するとしている。
【００６１】
シャッタ部２１０Ｗ１は、第１の実施の形態に係る光コネクタのソケット２００のシャッタ部２１０Ａの上側半分に相当するものである。シャッタ部２１０Ｗ２は、第１の実施の形態に係る光コネクタのソケット２００のシャッタ部２１０Ａの下側半分に相当するものに対して、挿入穴部２２０Ｗに挿入されたプラグ１００の斜辺面１５１ｃ、１５１ｃを支えるための支持用凸部２１７Ｗ２、２１７Ｗ２を延設したものである。
【００６２】
支持用凸部２１７Ｗ２の先端側には、曲面２１７Ｗ２ａが形成されている。シャッタ部２１０Ｗ１、２１０Ｗ２の先端側にも、それぞれ曲面２１０Ｗ１ｔ、２１０Ｗ２ｔが設けられている。これらの曲面２１７Ｗ２ａ、２１０Ｗ１ｔ、２１０Ｗ２ｔによって、シャッタ部２１０Ｗ１、２１０Ｗ２の相互の開閉がスムーズにできるようになっている。
【００６３】
シャッタ部２１０Ｗ１、２１０Ｗ２の前面には、プラグ１００の係合凸部１５０の位置決め用凸部１５１ｂ、１５１ｂが嵌まり込む位置決め用凹部２１２Ｗ１、２１２Ｗ２がそれぞれ形成されている。
【００６４】
シャッタ部２１０Ｗ１、２１０Ｗ２の両側面の先端側には、図示しない係止用凸部（その形状は、第１の実施の形態に係る光コネクタのソケット２００のシャッタ部２１０Ａの係止用凸部２１１ａと同様である。）が設けられている。挿入穴部２２０Ｗの内面であって、この図示しない係止用凸部が移動する経路には、この図示しない係止用凸部に対応した図示しない凹部が設けられている。
【００６５】
シャッタ部２１０Ｗ１、２１０Ｗ２の背面側には、第１の実施の形態に係る光コネクタのソケット２００のシャッタ部２１０と同様に、それぞれ軸部２４０を保持するための透孔２１４を有した突出部２１３が設けられている。軸部２４０（図１１参照）には、弾性体部２３０が嵌め込まれるようになっている。この軸部２４０は、その両端側が、ガイド機構としての長孔状の透孔２２７Ｗ１、２２７Ｗ２に挿入されて、ガイド機構としても働く。
【００６６】
このように構成された本発明の第２の実施の形態に係る光コネクタのソケット２００Ｗの組み立て方法は、本発明の第１の実施の形態に係る光コネクタのソケット２００と略同様となっているので、その説明は省略する。
【００６７】
次に、ソケット２００Ｗの機構動作を説明する。ソケット２００Ｗは、プラグ１００を挿入しない状態では、シャッタ部２１０Ｗ１、２１０Ｗ２が弾性体部２３０、２３０によって挿入穴部２２０Ｗの入口側に付勢されているため、挿入穴部２２０Ｗの入口側がシャッタ部２１０Ｗ１、２１０Ｗ２によって略閉塞されている〔図１０（Ａ）の状態〕。
【００６８】
図１０（Ｂ）の位置で、図１０（Ｃ）に示されるように、プラグ１００を挿入穴部２２０Ｗ内に、弾性体部２３０、２３０による付勢力以上の力で、挿入し始めると、プラグ１００のプラグ先端部１５９にシャッタ部２１０Ｗ１、２１０Ｗ２の各前面が押されて回動し、シャッタ部２１０Ｗ１、２１０Ｗ２は、その先端側が挿入穴部２２０内部に入り込んでくる。
【００６９】
更に、プラグ１００を挿入穴部２２０Ｗ内に押し進めると、シャッタ部２１０Ｗ１、２１０Ｗ２は、図１０（Ｄ）に示されるように、ガイド機構としての長孔状の透孔２２７Ｗ１、２２７Ｗ２にガイドされ始めて、それぞれ上下のスペース２２５Ｗ１、２２５Ｗ２側に移動させられる。
【００７０】
更に、プラグ１００を挿入穴部２２０Ｗ内に押し進めると、シャッタ部２１０Ｗ１、２１０Ｗ２は、挿入穴部２２０Ｗのスペース２２５Ｗ１、２２５Ｗ２において水平状態に格納される。一方、プラグ１００のプラグ先端部１５９の先端側は、突出部９００内に挿入され始める。
【００７１】
更に、プラグ１００を挿入穴部２２０Ｗ内に圧入ぎみに押し進め、係合凸部本体１５１の基端部まで、挿入穴部２２０Ｗ内に挿入完了すると、図１０（Ｅ）に示される状態となる。
【００７２】
つまり、プラグ先端部１５９の先端側は、突出部９００内に完全に保持されている。このプラグ先端部１５９の先端面は、図示しない光素子（突出部９００の奥側に設置している。）の前面の所定微小距離手前に配置されていることとなる。また、係合凸部本体１５１は、挿入穴部２２０の両側面と、挿入穴部２２０の奥側天井面および奥側底面と、シャッタ部２１０Ｗ１、２１０Ｗ２の前面（尚、付勢力も付加されている。）とによって保持されていることとなる。
【００７３】
尚、位置決め用凸部１５１ｂ、１５１ｂ（図６参照）は、シャッタ部２１０Ｗ１、２１０Ｗ２の位置決め用凹部２１２Ｗ１、２１２Ｗ２に挿入されている。これらによって、プラグ１００は、一般的なＥＩＡＪ規格のソケットの場合と比較して、同等以上の保持力によって保持されていることとなる。
【００７４】
逆に、プラグ１００を挿入穴部２２０Ｗから抜く場合には、図１０の状態が全く逆となるだけである。尚、シャッタ部２１０Ｗ１、２１０Ｗ２は、長孔状の透孔２２７Ｗ１、２２７Ｗ２にガイドされつつ、弾性体部２３０による付勢力によって、挿入穴部２２０の入口側に自動復帰する。
【００７５】
ところで、図１０（Ｅ）および図１１を参照しつつ、前記ガイド機構の有効性を説明する。前記ガイド機構を設けないで、単に２枚のシャッタにするだけの場合には、シャッタ部２１０Ｗ１、２１０Ｗ２を図１０（Ｅ）の配置で回動させることとなる。したがって、挿入穴部２２０Ｗの入口側を閉塞するためには、現状のシャッタ部２１０Ｗ１、２１０Ｗ２よりもその長さ寸法を、長孔状の透孔２２７Ｗ１、２２７Ｗ２にガイドされたシャッタ部２１０Ｗ１、２１０Ｗ２の移動距離分だけ大きくする必要がある。
【００７６】
図１１において、前記移動距離分だけ、現状のシャッタ部２１０Ｗ１、２１０Ｗ２の長さ寸法を大きくすると、その先端が、明らかに、突出部９００に接触することがわかる。つまり、前記ガイド機構は、ＥＩＡＪ規格のプラグ１００と接続させるＥＩＡＪ規格の突出部９００を備えたソケットに、埃等の侵入を防止するシャッタを設ける場合には、有効な機構であるといえる。
【００７７】
次に、ＥＩＡＪ規格の突出部９００を備えることの可能な別の機構を有した光コネクタのソケットを本発明の第３の実施の形態に係る光コネクタのソケットとして、図１２および図１３を参照しつつ説明する。図１２は本発明の第３の実施の形態に係る光コネクタのソケットを説明するための側面視概略的説明図、図１３は本発明の第３の実施の形態に係る光コネクタのソケットに用いられるシャッタ部を示す概略図で、同図（Ａ）は一部図示省略した概略的正面図、同図（Ｂ）は一部図示省略した概略的側面図である。
【００７８】
本発明の第３の実施の形態に係る光コネクタのソケット２００Ｓは、光コネクタのプラグ１００と接続する光コネクタのソケットであって、プラグ１００が挿入される挿入穴部２２０Ｓを有したハウジング部２０５Ｓと、この挿入穴部２２０Ｓの入口側に取り付けられ、この挿入穴部２２０Ｓを略閉塞するためのシャッタ部２１０Ｓと、この挿入穴部２２０Ｓの奥側に設けた図示しない光素子とを備えている。
【００７９】
挿入穴部２２０Ｓは、プラグ１００の係合凸部１５０を挿入する空間２２０Ｈ′と、この空間２２０Ｈ′に延設したシャッタ部２１０Ｓを格納するスペース２２５Ｓと、このスペース２２５Ｓの奥側に設け、シャッタ部２１０Ｓの先端側と係合する奥側係合部としての奥側凹部２２５Ｓ１と、前記入口側に設け、シャッタ部２１０Ｓの先端側と係合する入口側係合部としての入口側凹部２２４Ｓと、シャッタ部２１０Ｓを保持する一対の凸部２４０Ｓ、２４０Ｓと、奥側に設けられたＥＩＡＪ規格の突出部９００と、プラグ１００の下側の位置決め用凸部１５１ｂが係合される位置決め用透孔２２３とを有する。
【００８０】
シャッタ部２１０Ｓは、正面視略四角形状に形成されている。シャッタ部２１０Ｓの幅寸法および縦寸法は、本発明の第１の実施の形態に係る光コネクタのソケット２００のシャッタ部２１０と同じである。シャッタ部２１０Ｓは、両側面長手方向に、一端から他端付近まで、前記凸部２４０Ｓと係合する溝部２１７Ｓを形成している。
【００８１】
シャッタ部２１０Ｓは、前面側上部に、シャッタ部２１０Ｓを手動で移動させるための引っ掛け凹部２１９Ｓを形成している。シャッタ部２１０Ｓは、前面側に、プラグ１００の係合凸部１５０の上側の位置決め用凸部１５１ｂが嵌まり込む図示しない位置決め用凹部を形成している。シャッタ部２１０Ｓは、その先端側に、前記奥側凹部２２５Ｓ１と入口側凹部２２４Ｓとに係合可能な凸状延設部２１８Ｓが設けられている。
【００８２】
このように構成されたソケット２００Ｓは、上述した弾性体部２３０（または２３０Ａ）を備えていないため、自動復帰しない完全手動タイプとなっている。つまり、シャッタ部２１０Ｓは、挿入穴部２２０Ｓの入口側と、挿入穴部２２０Ｓ内のシャッタ部を格納するスペース２２５Ｓとの間で、双方向に手動で移動させられるようになっている。
【００８３】
次に、ハウジング部２０５Ｓに対してのシャッタ部２１０Ｓのセットの仕方やシャッタ部２１０Ｓの操作方法について前記図１２を参照しつつ説明する。
【００８４】
ハウジング部２０５Ｓに対してのシャッタ部２１０Ｓのセットの仕方は、シャッタ部２１０Ｓの先端側を、空間２２０Ｈ′の上部側（細かく言えば、スペース２２５Ｓよりも下側であって、突出部９００の上部側の空間）に挿入する。その後、シャッタ部２１０Ｓを手前に引きつつ、凸部２４０Ｓ、２４０Ｓに対して、溝部２１７Ｓ、２１７Ｓを嵌め込むとよい。
【００８５】
このようにセットされたシャッタ部２１０Ｓを、前面側にスライドさせつつ、回動させて垂直にし、シャッタ部２１０Ｓの凸状延設部２１８Ｓを入口側凹部２２４Ｓに係合させると、挿入穴部２２０Ｓの入口側はシャッタ部２１０Ｓによって略閉塞されることとなる。
【００８６】
プラグ１００を挿入穴部２２０Ｓに挿入する場合には、前記状態からシャッタ部２１０Ｓを上部側へスライドさせつつ手前に回動させ、水平とした後に、奥側にスライドさせて押し込むと、シャッタ部２１０Ｓの凸状延設部２１８Ｓが奥側凹部２２５Ｓ１に嵌まり込む。よって、シャッタ部２１０Ｓは、水平に保持されてスペース２２５Ｓに格納されている。これにより、挿入穴部２２０Ｓにプラグ１００を挿入可能となっている。この後に、プラグ１００を挿入穴部２２０Ｓに圧入ぎみに挿入すればよい。
【００８７】
挿入穴部２２０Ｓに挿入完了されたプラグ１００においては、プラグ先端部１５９は、突出部９００に保持されている。このプラグ先端部１５９の先端面は、図示しない光素子の前面の所定微小距離手前に配置されていることとなる。また、係合凸部本体１５１は、挿入穴部２２０の両側面から底面にかけての面と、シャッタ部２１０Ｓの前面とによって保持されていることとなる。ただし、このシャッタ部２１０Ｓの前面による保持力は、シャッタ部２１０Ｓとスペース２２５Ｓの上にある天井面との間の摩擦力によってその大きさが左右されるで、本発明の第１の実施の形態に係る光コネクタのソケット２００のシャッタ部２１０のときの保持力よりは小さい。
【００８８】
尚、位置決め用凸部１５１ｂ、１５１ｂ（図６参照）の内、下側の位置決め用凸部１５１ｂは、位置決め用透孔２２３に挿入されており、一方、上側の位置決め用凸部１５１ｂは、シャッタ部２１０Ｓの図示しない位置決め用凹部に挿入されている。これらによって、プラグ１００は、一般的なＥＩＡＪ規格のソケットの場合に比較的近い保持力によって保持されていることとなる。
【００８９】
逆に、プラグ１００を挿入穴部２２０から抜く場合には、上側の位置決め用凸部１５１ｂが、シャッタ部２１０Ｓの図示しない位置決め用凹部に嵌まり込んでいたため、プラグ１００とともに、シャッタ部２１０Ｓも手前側にスライドして押し戻される。この押し戻されたシャッタ部２１０Ｓを、図１２のようにスライドさせつつ回動させて垂直にし、シャッタ部２１０Ｓの凸状延設部２１８Ｓを入口側凹部２２４Ｓに係合させる。これによって、シャッタ部２１０Ｓを、挿入穴部２２０Ｓの入口側において、所定の略閉塞状態に戻すこととなる。ところで、ソケット２００Ｓにおいて、奥側係合部としての奥側凹部２２５Ｓ１と、入口側係合部としての入口側凹部２２４Ｓとは、凹部でなく凸部とし、これに応じてシャッタ部２１０Ｓの凸状延設部２１８Ｓを凹部としてもよいことは言うまでもない。
【００９０】
次に、ＥＩＡＪ規格の突出部９００を備えることの可能な更に別の機構を有した光コネクタのソケットを本発明の第４の実施の形態に係る光コネクタのソケットとして、図１４〜図１７を参照しつつ説明する。
【００９１】
図１４は本発明の第４の実施の形態に係る光コネクタのソケットを示す図であって、同図（Ａ）は正面図、同図（Ｂ）は側面図、同図（Ｃ）は一部透視した断面図、図１５は本発明の第４の実施の形態に係る光コネクタのソケットに用いられるハウジング本体部を示す図であって、同図（Ａ）は正面図、同図（Ｂ）は側面図、同図（Ｃ）は断面図、同図（Ｄ）は底面図、図１６は本発明の第４の実施の形態に係る光コネクタのソケットに用いられるハウジング延設部を示す図であって、同図（Ａ）は平面図、同図（Ｂ）は正面図、同図（Ｃ）は断面図、図１７は本発明の第４の実施の形態に係る光コネクタのソケットに用いられるシャッタ部を示す図であって、同図（Ａ）は平面図、同図（Ｂ）は正面図、同図（Ｃ）は同図（Ｂ）のＡ−Ａ線での断面図、同図（Ｄ）は側面図、同図（Ｅ）は背面図である。
【００９２】
本発明の第４の実施の形態に係る光コネクタのソケット２００Ｔは、光コネクタのプラグ１００と接続する光コネクタのソケットであって、プラグ１００が挿入される挿入穴部２２０Ｔを有するハウジング本体部２０５Ｔと、挿入穴部２２０Ｔの入口側に回動・スライド手段によって取り付けられ、この挿入穴部２２０Ｔを略閉塞するためのシャッタ部２６０と、このシャッタ部２６０を格納するために挿入穴部２２０Ｔの近傍に設けたシャッタ部２６０を格納するための格納穴部３３０を有し、且つハウジング本体部２０５Ｔと別体となっているハウジング延設部３００と、挿入穴部２２０Ｔの奥側に設けられている光素子２９０とを備え、シャッタ部２６０は、前側に回動して開かれ、スライドして格納穴部３２０に収納可能となっている。
【００９３】
よって、本発明の第４の実施の形態に係る光コネクタのソケット２００Ｔの場合には、本発明の第３の実施の形態に係る光コネクタのソケット２００Ｓのように、シャッタ部２６０は、手動式である。ただし、シャッタ部２６０は、挿入穴部２２０Ｔに入り込むことなく、挿入穴部２２０Ｔの前側で回動して開かれ、スライドして、挿入穴部２２０Ｔとは別の格納穴部３３０に収納されるようになっている。そのため、挿入穴部２２０Ｔの奥側に設けられている突出部９００は、ＥＩＡＪ規格通りとすることが当然可能となっている。
【００９４】
ソケット２００Ｔの各部分の構造を、より具体的に説明すると以下のようになっている。挿入穴部２２０Ｔは、光コネクタのプラグ１００の係合凸部１５０と係合する形状に形成されている。挿入穴部２２０Ｔの奥側には、突出部９００が設けられている。この突出部９００の開口の奥側には、素子部屋部２５０が設けられている。
【００９５】
挿入穴部２２０Ｔの底面であって、ハウジング本体部２０５Ｔの底面には、プラグ１００の下側の位置決め用凸部１５１ｂが係合される位置決め用透孔２２３が設けられている。挿入穴部２２０Ｔの天井面には、プラグ１００の上側の位置決め用凸部１５１ｂが係合される図示しない位置決め用凹部が形成されている。挿入穴部２２０Ｔの両側面の上部側には、透孔２２６Ｔが設けられている。この透孔２２６Ｔには、後述のシャッタ部２６０の係止用凸部２６２ａを係合するためのものである。
【００９６】
ハウジング延設部３００は、ハウジング本体部２０５Ｔの下部側に、シャッタ部２６０を格納するための格納穴部３２０を設けるためのものである。また、シャッタ部２６０を、この格納穴部３３０にスライドさせて格納できるようにしている。そのためハウジング延設部３００は、以下のように形成されている。
【００９７】
ハウジング延設部３００は、正面視略コ字状の本体部３１０と、この本体部３１０の内側に突設され、後述のシャッタ部２６０の回動・スライド用支持凸部２６３ａ、２６３ａを支える一対の支持枠部３２０、３２０とを有している。
【００９８】
本体部３１０は、その奥行き寸法が、ハウジング本体部２０５Ｔよりもやや小さく形成されている。本体部３１０の幅寸法は、その正面視略コ字状の内側にハウジング本体部２０５Ｔが摺接する大きさである。本体部３１０には、光素子２９０の下部側を引き出すための透孔３１５が開口されている。
【００９９】
支持枠部３２０は、その奥行き寸法が、ハウジング本体部２０５Ｔと同じに形成されている。支持枠部３２０は、本体部３１０よりも長い分、本体部３１０の前方側に突出するように延設されている。支持枠部３２０には、後述のシャッタ部２６０の回動・スライド用支持凸部２６３ａ（回動・スライド手段の一方側）が嵌まり込む長尺状切欠き部３２１（回動・スライド手段の他方側）が形成されている。
【０１００】
この長尺状切欠き部３２１の手前側端部の位置は、図１４（Ｃ）に示されるように、シャッタ部２６０を挿入穴部２２０Ｔの入口側で回動させつつ、この挿入穴部２２０Ｔの入口を閉塞するように垂直に押し込むことができる位置としている。一方、長尺状切欠き部３２１の奥側端部の位置は、図１４（Ｃ）に示されるように、シャッタ部２６０を格納穴部３３０に水平にスライドさせつつ格納したときに、ハウジング本体部２０５Ｔからはみ出さない位置であるとともに、後述のシャッタ部２６０の引っ掛け用凸部２６１ａに対して、少なくとも指の爪を引っ掛けることが可能なだけ、ハウジング延設部３００の本体部３１０の前面からシャッタ部２６０の上部側（つまり引っ掛け用凸部２６１ａが設けられている側）が迫り出して格納されていることとなる位置である。
【０１０１】
シャッタ部２６０は、挿入穴部２２０Ｔの正面視形状よりも大きく形成されている。シャッタ部２６０は、正面視略矩形状に形成された前面側部２６１と、この前面側部２６１の背部の上部側に突設された嵌め込み部２６２と、前面側部２６１の背部の下部側に突設された支持用突出部２６３とを有している。
【０１０２】
前面側部２６１は、その前面の上部側に引っ掛け用凸部２６１ａが設けられている。前面側部２６１は、その上部側に引っ掛け用凹部２６１ｂが設けられている。前面側部２６１の前面側の下部側は、シャッタ部２６０の回動をスムーズにするための曲面２６３ｂが設けられている。
【０１０３】
嵌め込み部２６２は、挿入穴部２２０Ｔの入口側に嵌合可能な形状に形成されている。嵌め込み部２６２の両側面の上部側には、ハウジング本体部２０５Ｔの透孔２２６Ｔと係合する係止用凸部２６２ａ、２６２ａが設けられている。支持用突出部２６３の両側面には、シャッタ部２６０の回動・スライド用支持凸部２６３ａ、２６３ａ（回動・スライド手段の一方側）が突設されている。
【０１０４】
このように形成されているソケット２００Ｔは、以下のようにして組み立てられる。ハウジング本体部２０５Ｔの素子部屋部２５０に対して、光素子２９０を設置する。ハウジング延設部３００の支持用突出部２６３の長尺状切欠き部３２１に対して、シャッタ部２６０を水平に載置したものを、前記ハウジング本体部２０５Ｔの下部側に位置合わせしつつ、ハウジング本体部２０５Ｔとハウジング延設部３００とを接着固定する。
【０１０５】
このようにして組み立てられたソケット２００Ｔにおいては、図１４（Ｃ）に示されるように、引っ掛け用凸部２６１ａに指の爪を引っ掛けるようにして、ハウジング延設部３００の格納穴部３３０から、シャッタ部２６０を水平にスライドさせて引き出す。そして、長尺状切欠き部３２１の手前側端部の位置まで、シャッタ部２６０の回動・スライド用支持凸部２６３ａが引っ張り出されたときに、シャッタ部２６０を挿入穴部２２０Ｔの入口側に回動させる。そして、シャッタ部２６０の嵌め込み部２６２を挿入穴部２２０Ｔの入口に圧入することで、挿入穴部２２０Ｔの入口側がシャッタ部２６０によって閉塞されることとなる。
【０１０６】
逆に、シャッタ部２６０を挿入穴部２２０Ｔの入口側から取り外す場合は、シャッタ部２６０の引っ掛け用凹部２６１ｂに指の爪を引っ掛けるようにして、シャッタ部２６０の嵌め込み部２６２を挿入穴部２２０Ｔから外す。その後、上述と逆に回動させ、スライドさせれば、シャッタ部２６０を格納穴部３３０に格納できる。
【０１０７】
このように形成され・操作されるソケット２００Ｔは、上述してきた本発明の第１〜第４の実施の形態に係る光コネクタのソケット２００等の中で最も閉塞性が高い。
【０１０８】
次に、このソケット２００Ｔに対して、光素子の寿命を延ばす手段および低消費電力化手段としてのスイッチ（このスイッチは、以下のように、シャッタ部が挿入穴部の入口側から所定の位置まで移動したときに、このシャッタ部によって操作されるものである。）を設けたものを、本発明の第５の実施の形態に係る光コネクタのソケットとして、図１８〜図２１を参照しつつ説明する。
【０１０９】
図１８は本発明の第５の実施の形態に係る光コネクタを示す一部透視した図であって、同図（Ａ）は正面図、同図（Ｂ）は側面図、同図（Ｃ）は断面図、図１９は本発明の第５の実施の形態に係る光コネクタに用いられるハウジング延設部を示す図であって、同図（Ａ）は平面図、同図（Ｂ）は側面図、同図（Ｃ）は正面図、同図（Ｄ）は同図（Ｃ）のＡ−Ａ線での断面図、同図（Ｅ）は同図（Ｂ）のＣ−Ｃ線での断面図、同図（Ｆ）は同図（Ｂ）のＢ−Ｂ線での断面図、図２０は本発明の第５の実施の形態に係る光コネクタに用いられるスイッチの固定切片部を示す図であって、同図（Ａ）は平面図、同図（Ｂ）は正面図、同図（Ｃ）は側面図、図２１は本発明の第５の実施の形態に係る光コネクタに用いられるスイッチの可動切片部を示す図であって、同図（Ａ）は側面図、同図（Ｂ）は正面図、同図（Ｃ）は平面図、同図（Ｄ）は背面図である。
【０１１０】
本発明の第５の実施の形態に係る光コネクタのソケット２００Ｔ′は、ソケット２００Ｔのハウジング延設部３００に対して、光素子２９０への通電をオン・オフ制御するためのスイッチ４００を設けただけの違いであって、それ以外の部分はソケット２００Ｔと全く同じである。よって、異なる部分のみ以下に説明する。
【０１１１】
スイッチ４００は、固定切片部４１０と、可動切片部４２０とからなる。固定切片部４１０は、平面視略矩形状、正面視略逆Ｌ字状、側面視略Ｔ字状に形成されている。固定切片部４１０は、図２０（Ａ）に示されるように、固定部４１１と、この固定部４１１の上部側中央部に延設された舌片部４１２とからなる。この舌片部４１２は、可動切片部４２０と接触する部分である。この舌片部４１２は、上下方向に揺動可能となっている。
【０１１２】
可動切片部４２０は、平面視略コ字状の固定部４２１と、この固定部４２１の上部側から延設された舌片部４２２とからなる。この舌片部４２２は、固定切片部４１０の舌片部４１２の上面側と接触する部分である。この舌片部４２２は、上下方向に揺動可能となっている。舌片部４２２の先端上部側は、格納穴部３３０にスライドされつつ格納されるシャッタ部２６０の前面側の曲面２６３ｂにスムーズに押下されるように湾曲部４２２ａが形成されている。
【０１１３】
ソケット２００Ｔ′のハウジング延設部３００′は、スイッチ４００を設けるために、ハウジング延設部３００に対して、固定切片部４１０を固定するためにその形状に合わせた切欠き穴３１７′と、可動切片部４２０を固定するためにその形状に合わせた切欠き穴３１８′とを形成している。これ以外は、基本的にハウジング延設部３００と同じである。
【０１１４】
尚、ハウジング延設部３００′には、ハウジング延設部３００に対して、その両側面側に位置決め用透孔３１９′を設けてもよい。この際、ハウジング本体部２０５Ｔには、この位置決め用透孔３１９′と係合する位置に、位置決め凸部（図示省略）を形成することとなる。これによって、ハウジング延設部３００′とハウジング本体部２０５Ｔとの固定が容易となる。もちろん、ソケット２００Ｔにおいても、この位置決め用透孔３１９′を設けてもよい。この位置決め用透孔３１９′と、この位置決め用透孔３１９′と係合する図示しない位置決め凸部とを一側面当たり複数設けると、上述した接着固定を省くことも可能である。
【０１１５】
このように形成されたソケット２００Ｔ′においては、シャッタ部２６０を格納穴部３３０にスライドしつつ格納する際に、スイッチ４００が、シャッタ部２６０によって当接されることによってオンし、シャッタ部２６０が格納穴部３３０から取り出されるとスイッチ４００がオフとなるようになっている。よって、ソケット２００Ｔ′にプラグ１００が接続されるためにシャッタ部２６０が格納穴部３３０に格納されない限り、スイッチ４００はオフとなっているので、光素子２９０にムダな通電をすることを減らすことができ、光素子２９０の寿命も延ばすことができる。
【０１１６】
尚、ソケット２００Ｔ′において、スイッチ４００は、良導電性を確保するため通常、金属製である。一方、ソケット２００Ｔ′に接続されるプラグ１００は樹脂製である。また、ソケット２００Ｔ′においては、プラグ１００がスイッチ４００に接触することなく、シャッタ部２６０によってスイッチ４００を働かせることができる。よって、プラグ１００（樹脂製）がスイッチ４００（金属製）によって傷付けられるおそれは全くない。
【０１１７】
次に、本発明の第１の実施の形態に係る光コネクタのソケット２００に対して、光素子の寿命を延ばす手段および低消費電力化手段としてのスイッチ（このスイッチは、以下のように、シャッタ部が挿入穴部の入口側から所定の位置まで移動したときに、このシャッタ部によって操作されるものである。）を設け、しかもそのスイッチの一方側を弾性体で兼用した場合について、本発明の第６の実施の形態に係る光コネクタのソケットとして、図２２を参照しつつその違いのみ説明する。図２２は本発明の第６の実施の形態に係る光コネクタのソケットを説明するための側面視概略的説明図である。
【０１１８】
本発明の第６の実施の形態に係る光コネクタのソケット２００Ｂにおいては、本発明の第１の実施の形態に係る光コネクタのソケット２００の弾性体部２３０の形状等を変更している。具体的には、ソケット２００Ｂの弾性体部２３０′は、弾性体部２３０の一端側を折り曲げ成形して、ソケット２００Ｂの外側に引き出している。また、弾性体部２３０の他端側は、ソケット２００Ｂに新たに設けたスイッチ４００′の固定切片部４１０′と接触するようになっている。つまり、弾性体部２３０′は、スイッチ４００′において、スイッチ４００の可動切片部４２０相当として働かせる。よって、弾性体部２３０′は、良導電性を有した金属製である。
【０１１９】
上述以外は基本的にソケット２００と共通構造を有するソケット２００Ｂは、プラグ１００が挿入穴部２２０に挿入されるときに、挿入穴部２２０の入口側に設けられているシャッタ部２１０が回動され、挿入穴部２２０内に入り込む。よって、スイッチ４００′は、シャッタ部２１０が当接されることによってオンされることとなる。逆に、挿入穴部２２０からプラグ１００が引き抜かれると、シャッタ部２１０は、弾性体部２３０′によって、挿入穴部２２０の入口側に付勢されるので、自動復帰する。そのため、スイッチ４００′は、オフとなる。
【０１２０】
このように、本発明の第６の実施の形態に係る光コネクタのソケット２００Ｂにおいては、ソケット２００Ｂにプラグ１００が接続されていない限り、スイッチ４００′はオフとなっているので、光素子２９０にムダな通電をすることを減らすことができ、光素子２９０の寿命も延ばすことができる。また、スイッチ４００′にプラグ１００が直接接触することがないので、スイッチ４００′を設けても、プラグ１００が傷付けられるおそれも全くない。更に、スイッチ４００′の一方側に、弾性体部２３０′を兼用しているので、部品点数の削減と低コスト化も図れる。
【０１２１】
次に、シャッタ部の構造を特殊な構造とした場合について、本発明の第７の実施の形態に係る光コネクタのソケットとして、図２３および図２４を参照しつつ説明する。
【０１２２】
図２３は本発明の第７の実施の形態に係る光コネクタのソケットを示す概略的斜視図、図２４は本発明の第７の実施の形態に係る光コネクタのソケットに、ＥＩＡＪ規格の角型プラグを挿入したときの状態を説明する側面視概略的説明図であって、同図（Ａ）は挿入直前の状態図、同図（Ｂ）および同図（Ｃ）は挿入途中の状態図、同図（Ｄ）は挿入完了時の状態図である〔尚、弾性体部は同図（Ｄ）においてのみ図示した。〕。
【０１２３】
本発明の第７の実施の形態に係る光コネクタのソケット２００Ｕは、光コネクタのプラグ１００と接続する光コネクタのソケットであって、プラグ１００が挿入される挿入穴部２２０Ｕを有したハウジング部２０５Ｕと、この挿入穴部２２０Ｕの入口側前方に、軸部２４０を伴うヒンジ構造によって取り付けられ、この挿入穴部２２０Ｕを略閉塞するためのシャッタ部２１０Ｕと、このシャッタ部２１０Ｕを挿入穴部２２０Ｕの内部側から前記入口側方向へ付勢する弾性体部２３０、２３０（図２３のＪおよびＫの位置に設けられる。）とを備えている。
【０１２４】
挿入穴部２２０Ｕは、正面の開口に接した１面側（図２４において上側）に、シャッタ部２１０Ｕが回動可能な切欠き部２２５Ｕを有している。挿入穴部２２０Ｕは、その奥側に突出部９００が設けられている。この突出部９００の奥側には、図示しない光素子が設けられている。
【０１２５】
シャッタ部２１０Ｕは、挿入穴部２２０Ｕの正面の開口の閉塞に寄与するシャッタ正面体部２１１Ｕと、このシャッタ正面体部２１１Ｕを、ヒンジ構造（このヒンジ構造は、シャッタ部２１０Ｕが軸部２４０によって軸支されていることによって形成されている。）よりも離れた位置にて結合するとともに、切欠き部２２５Ｕの閉塞に寄与する支持体部２１２Ｕとを有している。シャッタ正面体部２１１Ｕは、プラグ１００の係合凸部１５０の正面外形形状から挿入ガイド用凸部１５１ａ、１５１ａの部分を取り除いた形状に対応させて形成されている。支持体部２１２Ｕは、側面視扇状に形成されている。
【０１２６】
このように形成されているソケット２００Ｕの場合には、シャッタ部２１０Ｕのシャッタ正面体部２１１Ｕは、挿入穴部２２０Ｕ側に入り込む構造となっているが、挿入されたプラグ１００の係合凸部１５０の側面側の保持にはあまり寄与していない。つまり、シャッタ正面体部２１１Ｕは、弾性体部２３０の付勢力を伴って、係合凸部１５０の側面側をその上部側から押さえるのに、多少寄与している程度である。ただし、挿入穴部２２０Ｕに入り込むシャッタ正面体部２１１Ｕは、前記ヒンジ構造よりも離れた位置にて支持体部２１２Ｕに結合されているため、図２４に示されるように、挿入穴部２２０Ｕの手前側で回動することとなる。
【０１２７】
そのため、挿入穴部２２０Ｕの奥側に、突出部９００のようにＥＩＡＪ規格通りの突出部を設けることが可能となっている。また、弾性体部２３０、２３０が備えられ、シャッタ部２１０Ｕは、挿入穴部２２０Ｕの入口側へ付勢されている。そのため、シャッタ部２１０Ｕは、プラグ１００が挿入穴部２２０Ｕに挿入されていないときに、挿入穴部２２０Ｕを略閉塞している。
【０１２８】
プラグ１００が挿入穴部２２０Ｕに挿入されると、シャッタ部２１０Ｕは、軸部２４０を中心として回動され、挿入穴部２２０Ｕの切欠き部２２５Ｕに格納される〔図２４（Ａ）〜（Ｄ）〕。逆に、プラグ１００が挿入穴部２２０Ｕから抜かれると、シャッタ部２１０Ｕは、弾性体部２３０、２３０によって、挿入穴部２２０Ｕの入口側へ付勢されて自動復帰する。
【０１２９】
尚、ソケット２００Ｕにおいても、弾性体部２３０、２３０の内の一方の弾性体部２３０を、上述の弾性体部２３０′のようにスイッチの一方側とし、固定切片部４１０′に相当するものもスイッチの他方側として設けてもよい。
【０１３０】
上述の本発明に係る各実施の形態において、プラグ１００は、ＥＩＡＪ規格の角型の光コネクタのプラグであり、そのプラグ１００と接続する光コネクタのソケット２００等であるとして説明した。しかし、ＥＩＡＪ規格の角型の光コネクタのプラグ以外の特別仕様の角型のプラグと接続するソケットにも、適用してもよいことは言うまでもない。尚、本発明に係る光コネクタのソケットは、角型（正面視略六角形）の光コネクタのプラグと接続するソケットに限定するものではない。例えば、四角形状の光コネクタのプラグと接続するソケットには簡単に適用できる。
【０１３１】
本発明の第５の実施の形態に係る光コネクタのソケット２００Ｔ′において、シャッタ部２６０は、スイッチ４００の可動切片部４２０（金属製）の湾曲部４２２ａに間接的に当接させるようにしてもよい。例えば、湾曲部４２２ａに図示しない樹脂等製のカバーを取付けて、このカバーにシャッタ部２６０を当接させてもよい。このようにした場合には、部品点数が増えるものの、シャッタ部２６０が当接しない位置であって、プラグ１００の係合凸部本体１５１の側面側が当接する位置にスイッチ４００を設けても、プラグ１００に傷を付けるおそれを低減できる。よって、このようにした場合には、本発明の第１の実施の形態に係る光コネクタのソケット２００等においても、シャッタ部２１０の当接しない位置であって、プラグ１００の係合凸部本体１５１の側面側が当接する位置にスイッチ４００を設けてもよい。
【０１３２】
本発明の第１、第２、第６、第７の実施の形態に係る光コネクタのソケット２００等における弾性体部２３０等は、ねじりコイルバネでなく、板状バネ等、同様の機能を発揮するものであってもよい。
【０１３３】
本発明の第１および第２の実施の形態に係る光コネクタのソケット２００等において、上述したように、シャッタ部２１０等は、スペース２２５等に格納された後、接続完了されたプラグ１００の側面側を保持するのが好ましい。しかしながら、一般的なＥＩＡＪ規格のソケット程の保持力を確保しなくても、十分である場合もあるため、次のように、シャッタ部２１０等がプラグ１００の側面側の保持に殆ど寄与しないか、または、全く寄与しないとしてもよい。
【０１３４】
例えば、図示は省略するが、シャッタ部２１０等を格納するスペース２２５等の厚み方向寸法を大きくして、シャッタ部２１０等の回動角を大きくすることを可能とする。これにより、シャッタ部２１０等は、水平よりも大きく撥ね上げられるが、この大きく撥ね上げた状態で係止する係止部品（例えば、挿入穴部２２０内に若干突出可能となった舌片状の係止部品）を、挿入穴部２２０等の奥側であって、シャッタ部２１０等が接触可能な位置に設ける。また、この係止部品を、ソケット２００等の入口側から、挿入穴部２２０等の内面から突出する状態と突出しない状態とに制御するための連動部品（例えば、プッシュ・プルタイプの部品であって、その先端側は、前記係止部品に至る楔状に形成されており、プッシュすると、前記係止部品を挿入穴部２２０内に押し出すようになったもの）を設ける。
【０１３５】
このようにした場合には、プラグ１００をソケット２００等に接続する前に、予め、シャッタ部２１０等を挿入穴部２２０等の内側に入れ込み、前記連動部品で、シャッタ部２１０等を、プラグ１００の側面側の保持に殆ど寄与しないか、または、全く寄与しない位置に保持する。その後に、プラグ１００をソケット２００等に挿入して接続完了させる。プラグ１００をソケット２００等から抜いた後は、連動部品を引っ張って、係止部品を挿入穴部２２０等から引っ込めて、シャッタ部２１０等を自動復帰させる。
【０１３６】
尚、このような係止部品と連動部品とは、シャッタ部２１０等がプラグ１００の側面側の保持に寄与する位置に設けてもよい。例えば、シャッタ部２１０等の側面に凹部を設けて、この凹部と前記係止部品とが係合するようにすればよい。また、本発明の第３および第７の実施の形態に係る光コネクタのソケット２００Ｕ等においてもシャッタ部２１０Ｓ等がプラグ１００の側面側の保持に殆ど寄与しないか、または、全く寄与しないとしてもよい。この場合には、上述のように、例えば、シャッタ部２１０Ｓ等の側面に凹部を設けて、この凹部と前記係止部品とが係合するようにすればよい。
【０１３７】
次に、第１の実施の形態に係る光コネクタのソケット２００を略基本形状とし、このような構造において、主として組み立て時にシャッタ部を、よりセットし易くするためにハウジング部を２つに分離可能とする等、部分的に構造変更したものを、本発明の第８の実施の形態に係る光コネクタのソケットとして、図２５〜図２７を参照しつつ説明する。尚、ソケット２００の各部と基本的に同様の部分は、同じ番号にダッシュ（′）を付している。
【０１３８】
図２５は本発明の第８の実施の形態に係る光コネクタのソケットに用いられる第２のハウジング部を示す図であって、同図（Ａ）は側面図、同図（Ｂ）は正面図、同図（Ｃ）は断面図、同図（Ｄ）は背面図、同図（Ｅ）は底面図、図２６は本発明の第８の実施の形態に係る光コネクタのソケットに用いられる第１のハウジング部を示す図であって、同図（Ａ）は側面図、同図（Ｂ）は正面図、同図（Ｃ）は断面図、同図（Ｄ）は背面図、同図（Ｅ）は底面図、同図（Ｆ）は同図（Ｅ）のＪで指示した部分の拡大図、図２７は本発明の第８の実施の形態に係る光コネクタのソケットの組み立て方を説明するための説明図であって、同図（Ａ）から同図（Ｆ）の方向に組み上がっている様子を示している。ただし、同図（Ｅ）は光素子を設置していない状態を示す参考図である。
【０１３９】
本発明の第８の実施の形態に係る光コネクタのソケット２００′が、ソケット２００（図１等参照）と主として異なる部分は、以下のとおりである。
（１）ソケット２００のハウジング部２０５に相当するハウジング部２０５′を、後述のように、第１のハウジング部２０５Ｍ′と、第２のハウジング部２０５Ｎ′との２つに分離可能としている。
（２）ソケット２００の素子部屋部２５０と対比される素子部屋部２５０′は、光素子２９０と同様の光素子２９０′の外形に沿った形状に変更している。また、素子部屋部２５０′は、第１のハウジング部２０５Ｍ′側の部分と、第２のハウジング部２０５Ｎ′側の部分とに分割されている。
（３）ソケット２００に設けていなかった３対の固定用弾性体２０５Ｎ１′をソケット２００′の下面側に設けている。
【０１４０】
以下に、細かな変更点を含めソケット２００′を説明する。ソケット２００′は、図２７（Ｆ）に示されているように、プラグ１００が挿入される挿入穴部２２０′を有するハウジング部２０５′と、この挿入穴部２２０′の入口側にヒンジ構造によって取り付けられ、この挿入穴部２２０′を略閉塞するためのシャッタ部２１０′と、このシャッタ部２１０′を前記入口側へ付勢する弾性体部２３０Ａ′と、このシャッタ部２１０′と弾性体部２３０Ａ′とを支え、前記ヒンジ構造のための部材となっている軸部２４０′と、挿入穴部２２０′の奥側に設けられる光素子２９０′とを備えている。
【０１４１】
ハウジング部２０５′は、後述する第１のハウジング部２０５Ｍ′と、第２のハウジング部２０５Ｎ′との２つからなる。ハウジング部２０５′（つまり、前記２つが組み合わされた状態）は、略直方体であり、その正面下部側に、挿入穴部２２０′が形成されている。その挿入穴部２２０′の奥側に、光素子２９０′が挟持されて固定される素子部屋部２５０′（後述のように２つに分離可能となっている。）が設けられている。この素子部屋部２５０′は、ここに設置された光素子２９０′の光軸と、挿入穴部２２０′に装着されたプラグ１００の中心軸とが合うようするため、且つ固定のために、光素子２９０′の外形に沿った形状に形成されている。
【０１４２】
この挿入穴部２２０′と素子部屋部２５０′とを連通するように、プラグ先端保持部２２９′としての透孔が設けられている。ハウジング部２０５′は、その上部側に、固定用透孔２８０′が設けられている。また、ハウジング部２０５′の底面には、３対の固定用弾性体２０５Ｎ１′（図２５も参照）が突設されている。
【０１４３】
挿入穴部２２０′は、左右対称に形成されており、プラグ１００の係合凸部１５０（ただし、プラグ先端保持部２２９に嵌まり込むプラグ先端部１５９の先端側部分を除く。）を挿入する空間２２０Ｈ′と、この空間２２０Ｈ′に延設した、シャッタ部２１０′を水平格納可能なスペース２２５′とを有している。
【０１４４】
挿入穴部２２０′の両側面には、係合凸部１５０の挿入ガイド用凸部１５１ａ、１５１ａと係合するプラグガイド用凹部２２１′、２２１′が設けられている。また、係合凸部１５０の斜辺面１５１ｃ、１５１ｃに対応する部分として、挿入穴部２２０′の下部側両側面に、傾斜面部２２２′、２２２′が設けられている。更に、挿入穴部２２０′の底面には、下側の位置決め用凸部１５１ｂが挿入される位置決め用穴部２２３′( 位置決め用係合部) （ただし、位置決め用透孔２２３のように、完全な透孔とはなっていない。）が設けられている。
【０１４５】
傾斜面部２２２′には、後述のシャッタ部２１０′の係止用凸部２１１ａ′〔図２７（Ｂ）参照〕の通過と係止（この係止とは、シャッタ部２１０′が垂直状態よりも前面側に回動させないための係止をいう。）のため、長孔２２２ａ′（ただし、長孔２２２のように貫通はしていない。）が形成されている。
【０１４６】
この長孔２２２ａ′の幅寸法は、係止用凸部２１１ａ′が入り込む寸法である。また、その長手方向寸法は、挿入穴部２２０′の入口側にヒンジ構造によって取り付けられたシャッタ部２１０′が、挿入穴部２２０′の奥側に回動させられたときに、係止用凸部２１１ａ′が挿入穴部２２０の内面に引っ掛からないような長さに形成されている。長孔２２２ａ′の前面側の端部の位置は、シャッタ部２１０′が、挿入穴部２２０′の入口側を略閉塞した状態、つまり、シャッタ部２１０′が垂直状態となっている状態において、係止用凸部２１１ａ′が配置されている所である。よって、シャッタ部２１０′の下部側は、垂直状態よりも前方に回動しない。
【０１４７】
挿入穴部２２０′の入口側上部の両側面には、軸部２４０′の両端部分を支えるための溝２２６′、２２６′〔図２６（Ｃ）および（Ｄ）参照〕が設けられている。
【０１４８】
３対の固定用弾性体２０５Ｎ１′（図２７も参照）は、図示しない基板の位置決め用透孔にソケット２００′が、取り外し可能に固定される際に使用されるものである。１対の固定用弾性体２０５Ｎ１′は、それぞれ、前記図示しない基板の位置決め用透孔中にグラツキなしで納まる基端部２０５Ｎ１ａ′と、この基端部２０５Ｎ１ａ′の下部側に延設された抜け防止部２０５Ｎ１ｂ′とが１つずつ、所定の間隔を開けて設けられているものである。基端部２０５Ｎ１ａ′の高さ寸法は前記基板の厚み寸法と同じである。抜け防止部２０５Ｎ１ｂ′は、基端部２０５Ｎ１ａ′よりも外側にやや膨らみを有する形状に形成されている。
【０１４９】
そのため、前記図示しない基板の位置決め用透孔中に固定用弾性体２０５Ｎ１′を挿入しようとすると、対をなす抜け防止部２０５Ｎ１ｂ′が、先ず相互に内側に変形して前記位置決め用透孔を通過する。そして、この後に抜け防止部２０５Ｎ１ｂ′が前記基板の下面側に至ると、対をなす抜け防止部２０５Ｎ１ｂ′が、元の状態に戻る。これによって、基端部２０５Ｎ１ａ′の外側の面が前記位置決め用透孔の内面に当接して、ソケット２００′が前記基板に水平方向にぐらつかないようになっている。それとともに、抜け防止部２０５Ｎ１ｂ′は、ソケット２００′が前記基板から抜けないように防止している。
【０１５０】
このようなハウジング部２０５′を構成する第１のハウジング部２０５Ｍ′と、第２のハウジング部２０５Ｎ′とは、以下のようになっている。
【０１５１】
先ず、大まかな構造としては、第１のハウジング部２０５Ｍ′は、シャッタ部２１０′が取り付けられる穴部２２０ａ′を有する。一方、第２のハウジング部２０５Ｎ′は、第１のハウジング部２０５Ｍ′が挿入される穴部２０５Ｎ３′を有する。そして、第１のハウジング部の穴部２２０ａ′と第２のハウジング部２０５Ｎ′の穴部２０５Ｎ３′の奥側とで前記挿入穴部２２０′が構成されている。
【０１５２】
以下に、第１のハウジング部２０５Ｍ′と第２のハウジング部２０５Ｎ′とについて、詳細説明をする。
【０１５３】
第１のハウジング部２０５Ｍ′は、図２６に示されるように、正面視および平面視略矩形状体であって、前記穴部２２０ａ′を有している。第１のハウジング部２０５Ｍ′は、穴部２２０ａ′の奥側上部に、挿入穴部２２０′の奥上面側部分を取り除いて形成された奥側開口部２０５Ｍ１′を有している。奥側開口部２０５Ｍ１′は、弾性体部２４０′が軸部２４０′に通され、且つこれらをシャッタ部２１０′の所定の位置に嵌め込んだものを、この奥側開口部２０５Ｍ１′を通じて、第１のハウジング部２０５Ｍ′の穴部２２０ａ′の内側に挿入しうる大きさに開口されている。
【０１５４】
尚、第１のハウジング部２０５Ｍ′は、その背面側に、素子部屋部２５０′の前面側部２５０ａ′が含まれるように形成されている。
【０１５５】
第１のハウジング部２０５Ｍ′の穴部２２０ａ′には、前記溝２２６′、２２６′の主要部分である溝２２６ａ′も含まれている。溝２２６ａ′は、略横向きＵ字形状に形成されている。この奥側の湾曲部２２６ａ1 ′は、穴部２２０ａ′の入口側に形成されている。この溝２２６′、２２６′の残りの部分は、第２のハウジング部２０５Ｎ′の後述する凸部２０５Ｎ２′が、この溝２２６ａ′上であって、穴部２２０ａ′の奥側方向部分に嵌まり込むことによって形成される。
【０１５６】
この溝２２６′、２２６′のやや奥側（穴部２２０ａ′の奥側）の上部側には、弾性体部２４０′が軸部２４０′に通されたものをシャッタ部２１０′の所定の位置に嵌め込んだものを溝２２６′、２２６′にセットした際に、弾性体部２４０′の一方側（上部側）を係止するための凸部２０５Ｍ２′が下側に向かって突設されている。
【０１５７】
長孔２２２ａ′も第１のハウジング部２０５Ｍ′に含まれている。ただし、第１のハウジング部２０５Ｍ′に含まれている長孔２２２ａ′は、貫通して形成されている。一方、第２のハウジング部２０５Ｎ′には、長孔２２２ａ′の溝は到っておらず、長孔２２２ａ′の底面が第２のハウジング部２０５Ｎ′の内面により形成されている。
【０１５８】
位置決め用穴部２２３′も第１のハウジング部２０５Ｍ′に含まれている。ただし、第１のハウジング部２０５Ｍ′に含まれている位置決め用穴部２２３′の部分は、貫通して形成されている。位置決め用穴部２２３′の底面の部分であって、一部透孔となっている部分を除いた部分は、第２のハウジング部２０５Ｎ′の内面により形成されている。
【０１５９】
第１のハウジング部２０５Ｍ′の外面部分であって、中央上部と、下面両端部には、突出部２０５Ｍ３′、２０５Ｍ４′、２０５Ｍ４′がそれぞれ設けられている。この突出部２０５Ｍ３′、２０５Ｍ４′、２０５Ｍ４′は、第１のハウジング部２０５Ｍ′を、後述の第２のハウジング部２０５Ｎ′の内面にセットした際に、位置決め且つ奥側に備えられる光素子２９０′にストレスを与えないようにするためのものである。
【０１６０】
第１のハウジング部２０５Ｍ′の外面部分であって、両側面奥側中央部分には、楔状突出部２０５Ｍ５′、２０５Ｍ５′が設けられている。この楔状突出部２０５Ｍ５′、２０５Ｍ５′は、第１のハウジング部２０５Ｍ′を、後述の第２のハウジング部２０５Ｎ′の内面にセットした後に、第１のハウジング部２０５Ｍ′が前面側に抜けないようにするためのものである。
【０１６１】
第２のハウジング部２０５Ｎ′は、図２５に示されるように、略直方体であり、その正面下部側に、穴部２０５Ｎ３′が形成されている。第２のハウジング部２０５Ｎ′は、この穴部２０５Ｎ３′の前端よりも突出した一対の凸部２０５Ｎ２′を有している。
【０１６２】
凸部２０５Ｎ２′は、上述したように、第１のハウジング部２０５Ｍ′と第２のハウジング部２０５Ｎ′とが組み合わされた際に、軸部２４０′の両端部分を支えるための溝２２６′が完成するように、軸部２４０′の両端部分の背面側を規制するためのものである。
【０１６３】
穴部２０５Ｎ３′には、その上部中央と、下部両端とに、それぞれ前記突出部２０５Ｍ３′、２０５Ｍ４′、２０５Ｍ４′と嵌合する溝部２０５Ｎ３ａ′、２０５Ｎ３ｂ′、２０５Ｎ３ｂ′が形成されている。
【０１６４】
穴部２０５Ｎ３′には、その両側面に、それぞれ、浅溝部２０５Ｎ３ｃ′と、この浅溝部２０５Ｎ３ｃ′の奥側（穴部２０５Ｎ３′の奥側）の溝なし部２０５Ｎ３ｄ′と、この溝なし部２０５Ｎ３ｄ′の奥側の透孔部２０５Ｎ３ｅ′とが形成されている。
【０１６５】
この浅溝部２０５Ｎ３ｃ′と、溝なし部２０５Ｎ３ｄ′との一連のルート上を、前記楔状突出部２０５Ｍ５′が、第２のハウジング部２０５Ｎ′に対して第１のハウジング部２０５Ｍ′がセットされる際に通過し、最終的に、透孔部２０５Ｎ３ｅ′に嵌まり込み、第２のハウジング部２０５Ｎ′に対しての第１のハウジング部２０５Ｍ′の固定が完了するようになっている。
【０１６６】
尚、この際、透孔部２０５Ｎ３ｅ′の側面方向は、楔状突出部２０５Ｍ５′によって塞がれ、一方、透孔部２０５Ｎ３ｅ′の背面方向（穴部２０５Ｎ３′の背面方向）は、後述のスリット状部２０５Ｎ３ｈ′〔図２５（Ｄ）参照〕となっているが、第１のハウジング部２０５Ｍ′の外面背部の両端側部分によって塞がれる。
【０１６７】
穴部２０５Ｎ３′には、その奥側の面に、第１のハウジング部２０５Ｍ′に設けた素子部屋部２５０′の前面側部２５０ａ′と対をなす素子部屋部２５０′の背面側部２５０ｂ′が形成されている。
【０１６８】
穴部２０５Ｎ３′には、その底面側に、光素子２９０′の下部側を引き出すためおよび光素子２９０′を所定の位置にセットするための挿入ルートとしての透孔２０５Ｎ３ｆ′が形成されている。
【０１６９】
第２のハウジング部２０５Ｎ′の外面側には、前記固定用透孔２８０′と、前記３対の固定用弾性体２０５Ｎ１′とが形成されている以外に、前記図２７（Ｆ）によるソケット２００′の説明で説明できなかった部分である溝２０５Ｎ３ｇ′が両側面の後端側に設けられている。この溝２０５Ｎ３ｇ′は、前記透孔部２０５Ｎ３ｅ′と連続して設けられている。この溝２０５Ｎ３ｇ′を第２のハウジング部２０５Ｎ′の背面から眺めると、前記透孔部２０５Ｎ３ｅ′が設けられていることによって、穴部２０５Ｎ３′方向にスリット状部２０５Ｎ３ｈ′が形成されている。
【０１７０】
このスリット状部２０５Ｎ３ｈ′は、上述したように、第１のハウジング部２０５Ｍ′の外面背部の両端側部分が露出するようになっている。これにより、もし第２のハウジング部２０５Ｎ′に対して第１のハウジング部２０５Ｍ′をセット後に第１のハウジング部２０５Ｍ′を取り外したいときでも、この露出部分を押せば、簡単に第１のハウジング部２０５Ｍ′を取り外すことができるようになっている。
【０１７１】
よって、例えば、ソケット２００′を所定の装置に設置後、光素子２９０′が何らかの原因で機能しなくなった場合でも、前記露出部分を押す等することで、光素子２９０′の交換が簡単にできる。
【０１７２】
シャッタ部２１０′は、前記シャッタ部２１０（図３参照）をマイナーチェンジしたものである。シャッタ部２１０が軸部２４０を横方向から挿入するようにしていたのに対して、シャッタ部２１０′には、前記図８に示したシャッタ部２１０Ａのように軸部２４０′（軸部２４０相当）が背面側から押しつけてセットされるように凹部２１４Ａ′が設けられている点が異なる。
【０１７３】
よって、シャッタ部２１０′は、図２７（Ｂ）および（Ｄ）に示されるように、挿入穴部２２０′（穴部２２０ａ′）の入口に嵌まり込むことが可能（もちろん入口から奥側にも嵌まり込むことが可能）な、正面視略六角形状に形成されている。この正面視形状は、挿入穴部２２０′（穴部２２０ａ′）の入口開口面の形状から、プラグガイド用凹部２２１′、２２１′の形状部分を取り除いた形状に、係止用凸部２１１ａ′、２１１ａ′を突設した形状となっている。
【０１７４】
シャッタ部２１０の正面側には、プラグ１００の係合凸部１５０の上側の位置決め用凸部１５１ｂが嵌まり込む位置決め用凹部２１２′が形成されている。
【０１７５】
シャッタ部２１０の背面側上部には、軸部２４０′を保持するための側面視略Ｃ字状の凹部２１４Ａ′を有した突出部２１３Ａ′が設けられている。突出部２１３Ａ′の中央部分には、後述の弾性体部２３０Ａ′の本体部２３０Ａａ′が挿入される凹部２１５′〔図２７（Ｄ）参照〕が形成されている。
【０１７６】
弾性体部２３０Ａ′は、図２７（Ａ）等に示されるように、前記弾性体部２３０Ａ〔図８（Ｃ）および（Ｄ）参照〕と略同様のねじりコイルバネである。弾性体部２３０Ａ′は、コイル状のバネ本体部２３０Ａａ′と、このバネ本体部２３０Ａａ′の一端から延設された棒状延設部２３０Ａｂ′と、バネ本体部２３０Ａａ′の他端から延設された棒状延設部２３０Ａｃ′とを有している。バネ本体部２３０Ａａ′の透孔２３０Ａａ1 ′には、軸部２４０′が嵌め込まれるようになっている。
【０１７７】
棒状延設部２３０Ａｂ′は、挿入穴部２２０′（穴部２２０ａ′）の面（正確には、凸部２０５Ｍ２′の部分）と当接する側の部分であって、シャッタ部２１０′の背面側と当接する側の部分である棒状延設部２３０Ａｃ′よりも短く形成されている。棒状延設部２３０ｂ′と棒状延設部２３０ｃ′との角度は、シャッタ部２１０′に付勢力を与えることができるように、少なくとも９０°以上とされている。
【０１７８】
軸部２４０′は、図２７（Ａ）等に示されるように、円柱状の棒である。軸部２４０′の長さ寸法は、シャッタ部２１０′の横幅寸法よりも大きく、且つ、挿入穴部２２０′の両側面に設けられている溝２２６′、２２６′の両端間寸法程度である。軸部２４０′の太さは、シャッタ部２１０′の凹部２１４Ａ′に嵌合可能な大きさである。
【０１７９】
次に、ソケット２００′の組み立て方法について、前記図２７を参照しつつ説明する。
【０１８０】
先ず、図２７（Ａ）に示されるように、弾性体部２３０Ａ′の透孔２３０Ａａ1 ′に、軸部２４０′を嵌め込む。この状態のものを、図２７（Ｂ）に示されるように、シャッタ部２１０′にセットする。この際、弾性体部２３０Ａ′のバネ本体部２３０Ａａ′は、凹部２１５′に嵌め込み、一方、軸部２４０′は凹部２１４Ａ′に嵌め込む。
【０１８１】
この状態のものを、図２７（Ｃ）に示されるように、第１のハウジング部２０５Ｍ′の奥側開口部２０５Ｍ１′から穴部２２０ａ′内に挿入する。この際、シャッタ部２１０′の係止用凸部２１１ａ′を、第１のハウジング部２０５Ｍ′の長孔２２２ａ′の前側に嵌め込みつつ、シャッタ部２１０′の上部側を起こす。
【０１８２】
そうすると、図２７（Ｄ）に示されるように、軸部２４０′の両端側が、第１のハウジング部２０５Ｍ′の溝２２６ａ′に嵌め込まれると共に、弾性体部２３０Ａ′の棒状延設部２３０Ａｂ′が凸部２０５Ｍ２′の基端部側と当接する。この状態においては、シャッタ部２１０′が第１のハウジング部２０５Ｍ′の穴部２２０ａ′の入口側にて長孔２２２ａ′、２２２ａ′に嵌まりつつ垂直に配置され、そのシャッタ部２１０′の背面が弾性体部２３０Ａ′の棒状延設部２３０Ａｃ′に当接することによって穴部２２０ａ′の入口側へ付勢されている。よって、シャッタ部２１０′は第１のハウジング部２０５Ｍ′に保持されている状態となっている。
【０１８３】
ここで、図２７（Ｅ）に示される、第１のハウジング部２０５Ｍ′を、第２のハウジング部２０５Ｎ′にセットした際にできる素子部屋部２５０′に光素子２９０′をセットすべく、第２のハウジング部２０５Ｎ′の透孔２０５Ｎ３ｆ′から光素子２９０′を、背面側部２５０ｂ′に嵌め込む。この際、第２のハウジング部２０５Ｎ′は、その背面側に倒しておく。
【０１８４】
第２のハウジング部２０５Ｎ′の穴部２０５Ｎ３′に対して、シャッタ部２１０′等をセットした状態の第１のハウジング部２０５Ｍ′を挿入すると、図２７（Ｆ）に示されるように、凸部２０５Ｎ２′が軸部２４０′の背面側を規制するように溝２２６ａ′の所定位置に嵌まり込む。一方、楔状突出部２０５Ｍ５′、２０５Ｍ５′（図２６参照）は、溝なし部２０５Ｎ３ｄ′〔図２５（Ｃ）参照〕を乗り越え、透孔部２０５Ｎ３ｅ′に嵌まり込み、第１のハウジング部２０５Ｍ′が第２のハウジング部２０５Ｎ′に固定される。これにより、ソケット２００′は完成する。
【０１８５】
完成した状態のソケット２００′においては、光素子２９０′のリードピンの内のモールドされていない部分２９０ａ′の下端側部分のみがフリーの状態であるものの、それよりも上部側の部分は、素子部屋部２５０′の前面側部２５０ａ′と背面側部２５０ｂ′とによって、挟持されて固定されている。そのため、ソケット２００′を図示しない基板に接続固定する際に、光素子２９０′の素子（チップ）にはストレスがかからないようになっている。
【０１８６】
次に、本発明の第９の実施の形態に係る光コネクタのソケットとして、図２８を参照しつつ説明する。図２８は本発明の第９の実施の形態に係る光コネクタのソケットを示す正面図であって、第１のハウジング部に対して第２のハウジング部をセットする前の状態図である。
【０１８７】
この本発明の第９の実施の形態に係る光コネクタのソケット２００Ｃ′は、後述するようにハウジング部２０５Ｃ′を第１のハウジング部２０５ＣＭ′と第２のハウジング部２０５ＣＮ′とに分離可能にしている。ただし、前記分離位置は、前記本発明の第８の実施の形態に係る光コネクタのソケット２００′の場合とは異なる位置にしている。これにより、光コネクタのソケット２００Ｃ′を組み立てる際に、シャッタ部２１０Ｃ′（ソケット２００′のシャッタ部２１０′と同様のもの）およびこれに関連する部分のセットをし易くしている。よって、ソケット２００′との相違点のみ以下で説明する。
【０１８８】
ソケット２００Ｃ′のハウジング部２０５Ｃ′は、第１のハウジング部２０５ＣＭ′と、この第１のハウジング部２０５ＣＭ′に取り付けられる第２のハウジング部２０５ＣＮ′とからなる。前記ハウジング部２０５Ｃ′から第２のハウジング部２０５ＣＮ′を取り除いた部分から前記シャッタ部２１０Ｃ′がセットされ、第２のハウジング部２０５ＣＮ′を取り付けるとシャッタ部２１０Ｃ′がヒンジ構造により開閉自在に支持される構成となっている。
【０１８９】
第１のハウジング部２０５ＣＭ′は、正面から見ると、取り付けられるシャッタ部２１０Ｃ′の大部分を保持可能になっている。また、第１のハウジング部２０５ＣＭ′は、ハウジング部２０５Ｃ′から第２のハウジング部２０５ＣＮ′を取り除いた部分であり、第２のハウジング部２０５ＣＮ′を取り除くことによってできる側面開口部２０５ＣＭ１′を有している。
【０１９０】
この側面開口部２０５ＣＭ１′は、シャッタ部２１０Ｃ′に軸部２４０Ｃ′（ソケット２００′の軸部２４０′と同様のもの）と図示しない弾性体部（ソケット２００′の弾性体部２３０Ａ′と同様のもの）とを取り付けた状態のもの（以下、「シャッタ部２１０Ｃ′等」とも呼ぶ。）を、側面側からセット可能な大きさにされている。このようにすることで、シャッタ部２１０Ｃ′等のセットを容易にしている。
【０１９１】
このような第１のハウジング部２０５ＣＭ′と第２のハウジング部２０５ＣＮ′との結合のために、第２のハウジング部２０５ＣＮ′の上下の部分と、この部分と接する第１のハウジング部２０５ＣＭ′の部分とに、図示しない凹部と凸部や一般的な係止構造を設けている。
【０１９２】
ソケット２００Ｃ′の組み立ては、次のようにすればよい。先ず、シャッタ部２１０Ｃ′に、軸部２４０Ｃ′と前記弾性体部とをセットしておく。このシャッタ部２１０Ｃ′等を第１のハウジング部２０５ＣＭ′に対して、その側面側からセットする。この際、シャッタ部２１０Ｃ′の前面は指等で押さえておけばよい。この状態のものに対して、第２のハウジング部２０５ＣＮ′をセットする。そして、図示しない光素子部屋部に光素子２９０Ｃ′（光素子２９０′と同様のもの）を設置するとソケット２００Ｃ′の組み立てが完了する。以上のように、シャッタ部２１０Ｃ′等のセットをはじめとしたソケット２００Ｃ′の組み立ては簡単である。
【０１９３】
ソケット２００Ｃ′の機構動作は、ソケット２００′の場合と同様であるのでその説明は省略する。
【０１９４】
なお、ソケット２００Ｃ′では、第２のハウジング部２０５ＣＮ′が光素子部屋部の前面部分を含むようにしていないが、もちろん、光素子部屋部の前面部分を含むようにしてもよい。そうすると、本発明の第８の実施の形態に係る光コネクタのソケット２００′の場合と同様に、ソケット２００Ｃ′においても、図示しない基板に接続固定する際に、光素子２９０Ｃ′の素子（チップ）にはストレスがかからないようになる。
【０１９５】
ソケット２００Ｃ′での第１のハウジング部２０５ＣＭ′と第２のハウジング部２０５ＣＮ′との前面側分離位置も、側面から、シャッタ部２１０Ｃ′に軸部２４０Ｃ′と前記弾性体部とを取り付けた状態のものをセット可能であれば、上述したように第１のハウジング部２０５ＣＭ′が、正面から見ると、取り付けられるシャッタ部２１０Ｃ′の大部分を保持可能でなくてもよい。
【０１９６】
次に、弾性体部の代わりに磁石を用いたものを本発明の第１０の実施の形態に係る光コネクタのソケットとして、図２９を参照しつつ説明する。図２９は本発明の第１０の実施の形態に係る光コネクタのソケットを示す断面図である。
【０１９７】
本発明の第１０の実施の形態に係る光コネクタのソケット２００Ｇは、本発明の第８の実施の形態に係る光コネクタのソケット２００′と略同様のものであって、ソケット２００′で用いられていた弾性体部２３０Ａ′を取り去り、その代わりに磁石２３０Ｇ１、２３０Ｇ２を後述の２カ所に設けた。
【０１９８】
磁石２３０Ｇ１は、シャッタ部２１０Ｇの背面側に埋設されている。なお、シャッタ部２１０Ｇは、ソケット２００′のシャッタ部２１０′と略同様であるが、前記磁石２３０Ｇ１が埋設されている点と、弾性体部をセットするための凹部が不要なため設けられていない点とが異なる。
【０１９９】
磁石２３０Ｇ２は、〔図示しないプラグが挿入穴部２２０Ｇ（ソケット２００′の挿入穴部２２０′と同様のもの）に挿入された時に〕スペース２２５Ｇ（ソケット２００′のスペース２２５′と同様のもの）に格納された前記シャッタ部２１０Ｇと対向するハウジング部２０５Ｇ（ソケット２００′のハウジング部２０５′と略同様であるが、第１のハウジング部と第２のハウジング部との境界は図示省略した。）の部分に磁石２３０Ｇ１と対向するように埋設されている。
【０２００】
シャッタ部２１０Ｇに設けられた磁石２３０Ｇ１と、ハウジング部２０５Ｇに設けられた磁石２３０Ｇ２とは、反発するように設けておけばよい。したがって、例えば、磁石２３０Ｇ１のＳ極（またはＮ極）はシャッタ部２１０Ｇの背面側に向けて設け、磁石２３０Ｇ２のＳ極（またはＮ極）はハウジング部２０５Ｇの挿入穴部２２０Ｇの上面に下向きになるように設ければよい。
【０２０１】
磁石２３０Ｇ１は、シャッタ部２１０Ｇの比較的上部側、即ち軸部２４０Ｇ（ソケット２００′の軸部２４０′と同様のもの）寄りに設ける。このように上部側に設ける方が、シャッタ部２１０Ｇが挿入穴部２２０Ｇの入口にある場合（即ち、磁石２３０Ｇ１が磁石２３０Ｇ２から最も離れている場合）でも、シャッタ部２１０Ｇに設けられた磁石２３０Ｇ１と、ハウジング部２０５Ｇに設けられた磁石２３０Ｇ２とが比較的近接し且つ反発するように対向するからである。即ち、シャッタ部２１０Ｇの移動範囲全域で、シャッタ部２１０Ｇが挿入穴部２２０Ｇの入口側に付勢される付勢力を大きくすることができるのである。
【０２０２】
ソケット２００Ｇの組み立ては、ソケット２００′と略同様であるのでその説明は省略する。
【０２０３】
ソケット２００Ｇの機構動作も、ソケット２００′と略同様（即ちソケット２００と略同様）である。付勢力が弾性体部によるか磁石の反発力によるかだけの違いである。
【０２０４】
ところで、上述してきた光コネクタのソケット２００、２００′等は、一般的に、前記ソケット２００、２００′等が設けられる装置の基板の上面に設置されることが多い。しかしながら、例えば、前記基板が前記装置の上部側に設けられていると、ソケット２００、２００′等は、前記基板の下面に設置される場合もある。ソケット２００、２００′等は、このように前記基板の下面に設置されても、機能上、特に問題はない。ただし、装置によって光コネクタのソケット２００、２００′等の向きが異なることになる。即ち、装置によってシャッタ部２１０、２００′等のみならず、その奥側の挿入穴部２２０、２２０′等が上下逆となる。よって、装置の使用者が、光コネクタのソケット２００、２００′等に対するプラグ１００の挿入方向を誤ったり、迷ったりするおそれがある。
【０２０５】
そこで、そのおそれをなくすべく、前記基板の下面に光コネクタのソケットを設置すると、前記光コネクタのソケット２００、２００′等を基板の上面に設置したのと、シャッタ部のみならず、その奥側の挿入穴部の状態等が同様である光コネクタのソケットを本発明の第１１の実施の形態に係る光コネクタのソケットとして図３０を参照しつつ説明する。図３０は本発明の第１１の実施の形態に係る光コネクタのソケットを示す図であって、同図（Ａ）は側面図、同図（Ｂ）は正面図、同図（Ｃ）は断面図、同図（Ｄ）は背面図、同図（Ｅ）は底面図である。
【０２０６】
本発明の第１１の実施の形態に係る光コネクタのソケット２００Ｄは、基本的に、本発明の第８の実施の形態に係る光コネクタのソケット２００′のシャッタ部２１０′、弾性体部２３０′、軸部２４０′および挿入穴部２２０′を上下逆配置した状態を有するものであり、それぞれ、シャッタ部２１０Ｄ、弾性体部２３０Ｄ、軸部２４０Ｄおよび挿入穴部２２０Ｄとなっている。
【０２０７】
なお、シャッタ部２１０Ｄ、弾性体部２３０Ｄ、軸部２４０Ｄは、上述のように上下逆配置しても構造的にソケット２００′のシャッタ部２１０′、弾性体部２３０′、軸部２４０′と全く同じでよい。ただし、シャッタ部２１０Ｄは、その背面に凸部２１０ＤＤを設けている点がシャッタ部２１０′とは異なる。この凸部２１０ＤＤは後述する第２のハウジング部２０５ＤＮに含まれる挿入穴部２２０Ｄの部分の底面に当接可能になっている部分であり、シャッタ部２１０Ｄの背面側に、弾性体部２３０Ｄを避けるように、その両側に設けている。この凸部２１０ＤＤは、プラグ１００の挿入時の保持力を向上させるために機能する。
【０２０８】
ソケット２００Ｄのハウジング部２０５Ｄは、第１のハウジング部２０５ＤＭと第２のハウジング部２０５ＤＮとからなり、ソケット２００′のハウジング部２０５′と略同様になっている。
【０２０９】
第１のハウジング部２０５ＤＭは、ソケット２００′の第１のハウジング部２０５Ｍ′と略上下対称のものである。第２のハウジング部２０５ＤＮは、ハウジング部２０５Ｄから第１のハウジング部２０５ＤＭを取り除いたものであるから、ソケット２００′の第２のハウジング部２０５Ｎ′と略同様である。なお、ソケット２００Ｄにおいて、第２のハウジング部２０５ＤＮに設けられている素子部屋部２５０Ｄの背面側部２５０Ｄｂの位置が、前記上下逆配置したのに伴い、ソケット２００′の第２のハウジング部２０５Ｎ′に設けられている素子部屋部２５０′の背面側部２５０ｂ′の位置と変更されている。
【０２１０】
なお、挿入穴部２２０Ｄの奥側に設けられているプラグ先端保持部２２９Ｄは、ソケット２００′のプラグ先端保持部２２９′よりも長めにしてプラグ１００の挿入時の保持力を向上させる一方で、前記長めにしたためにシャッタ部２１０Ｄが接触しないように前面下側に切欠２２９Ｄ１を設けている。このプラグ先端保持部２２９Ｄと、前記シャッタ部２１０Ｄとの改良は、プラグ１００の挿入時の保持力を向上させるためのものであるから、ソケット２００Ｄにおいて必ずしもこのようにしなくてもよいことは言うまでもない。
【０２１１】
このように構成されたソケット２００Ｄを、前記装置の基板の下面に設置すれば、ソケット２００′等が前記基板と同様の基板の上面に設置されたときと、シャッタ部２１０Ｄ、２１０′等の回動方向が同じになるとともに、挿入穴部２２０Ｄ、２２０′等の配置も同じになるので、装置の使用者が、光コネクタのソケット２００Ｄ、２００、２００′等に対してプラグ１００を挿入する方向は一定の方向にできる。
【０２１２】
ところで、例えば、本発明の第８の実施の形態に係る光コネクタのソケット２００′の場合には、シャッタ部２１０′によって略閉塞状態にできるものの、プラグガイド用凹部２２１′、２２１′の部分までは閉塞されない。そのため、本発明の第６の実施の形態に係る光コネクタのソケット２００Ｂで説明したようなスイッチ４００′をソケット２００′に設けていない場合には、ソケット２００′を設置した装置の電源をオンすると、光素子２９０′が常時動作状態になる。したがって、ソケット２００′が前記装置の前面やこの前面以外であっても、使用者が目にし易い位置に設置されていると、プラグ１００を挿入していないときに、光素子２９０′からの光が僅かではあるもののプラグガイド用凹部２２１′、２２１′から漏れて使用者の目に入ることがある。
【０２１３】
そこで、ソケット２００′に近似した構造のものであって、スイッチ４００′のようなスイッチを設けなくて光漏れの問題を解決する閉塞性の高いソケットを本発明の第１２の実施の形態に係る光コネクタのソケットとして図３１〜図３４を参照しつつ説明する。
【０２１４】
図３１は本発明の第１２の実施の形態に係る光コネクタのソケットを示す図であって、同図（Ａ）は正面図、同図（Ｂ）は側面図、同図（Ｃ）は断面図、図３２は本発明の第１２の実施の形態に係る光コネクタのソケットに用いられる第２のハウジング部を示す図であって、同図（Ａ）は側面図、同図（Ｂ）は正面図、同図（Ｃ）は断面図、図３３は本発明の第１２の実施の形態に係る光コネクタのソケットに用いられる第１のハウジング部を示す図であって、同図（Ａ）は正面図、同図（Ｂ）は側面図、同図（Ｃ）は背面図、同図（Ｄ）は断面図、図３４は本発明の第１２の実施の形態に係る光コネクタのソケットに用いられるシャッタ部を示す図であって、同図（Ａ）は正面図、同図（Ｂ）は側面図、同図（Ｃ）は背面図、同図（Ｄ）は底面図である。
【０２１５】
本発明の第１２の実施の形態に係る光コネクタのソケット２００Ｆは、本発明の第８の実施の形態に係る光コネクタのソケット２００′に近似した構造を有しているので、主たる相違点を次に説明する。
【０２１６】
（１）シャッタ部２１０Ｆは、プラグガイド用凹部２２１Ｆ、２２１Ｆ（ソケット２００′のプラグガイド用凹部２２１′、２２１′を後述するように変形したもの）の前面側の部分に係合する突設部分（後述の閉塞用凸部２１０ＦＦ１等）を設けている。
（２）前記閉塞用凸部２１０ＦＦ１が回動する範囲のハウジング部２０５Ｆの挿入穴部２２０Ｆの構造を変更している。
（３）ソケット２００Ｆは、第１のハウジング部２０５ＦＭと第２のハウジング部２０５ＦＮとからなるハウジング部２０５Ｆを有するが、第１のハウジング部２０５ＦＭと第２のハウジング部２０５ＦＮの分離位置がソケット２００′の場合と異なる。
【０２１７】
以上の主たる相違点等をもう少し詳しく以下において説明する。なお、軸部２４０Ｆと、弾性体部２３０Ｆ、光素子２９０Ｆとは、ソケット２００′の軸部２４０′と、弾性体部２３０Ａ′と、光素子２９０′と同様のものである。
【０２１８】
シャッタ部２１０Ｆは、ソケット２００′のシャッタ部２１０′の背面に一対の背面凸部２１０ＦＦ（本発明の第１１の実施の形態に係る光コネクタのソケット２００Ｄのシャッタ部２１０Ｄの凸部２１０ＤＤと同様のものである。）が、弾性体部２３０Ｆの設けられる領域を避けるようにして突設されている。背面凸部２１０ＦＦの側面から閉塞用凸部２１０ＦＦ１が延設されている。この閉塞用凸部２１０ＦＦ１が、プラグガイド用凹部２２１Ｆの前面側の部分に係合されて閉塞性を高め、光の漏れを防ぐのである。なお、係合用凸部２１１Ｆａは、ソケット２００′の係合用凸部２１１ａ′が半球状のものであったのに対して、正面視三角形状としているが、機能は同じである。
【０２１９】
ハウジング部２０５ＦＭは、基本的には、ソケット２００′のハウジング部２０５′と同様である。ただし、ハウジング部２０５ＦＭの分離位置がソケット２００′の場合よりも前側に変更されているのに伴い、上述以外に、素子部屋部２５０Ｆがソケット２００′の素子部屋部２５０′とは異なり、ソケット２００の素子部屋部２５０と同様に形成されている。
【０２２０】
第１のハウジング部２０５ＦＭは、ソケット２００′の第１のハウジング部２０５Ｍ′の後側を切り取ったものに近似したものである。第１のハウジング部２０５ＦＭの側面の後端部にソケット２００′の楔状突出部２０５Ｍ５′、２０５Ｍ５′と同様の楔状突出部２０５ＦＭ５、２０５ＦＭ５が設けられている。
【０２２１】
第１のハウジング部２０５ＦＭは、その内部に、プラグガイド用凹部２２１Ｆの前側の部分であるプラグガイド用前側凹部２２１Ｆ１を有する。ただし、プラグガイド用前側凹部２２１Ｆ１は、その前面側部分は、ソケット２００′のプラグガイド用凹部２２１′と同じであるが、中央付近から後側にかけての部分の上半分は、プラグガイド用凹部２２１′の最も深い部分と同じ深さまで切欠され、その上部側に延設された閉塞用凸部２１０ＦＦ１通過用凹部２２１Ｆ１１と連続して設けられている。
【０２２２】
第２のハウジング部２０５ＦＮは、その両側面に、第１のハウジング部２０５ＦＭの楔状突出部２０５ＦＭ５、２０５ＦＭ５を嵌め込むための透孔２０５ＦＮ３ｅが設けられている。第２のハウジング部２０５ＦＮは、その内側の穴部２０５ＦＮ３の奥側の部分にプラグガイド用凹部２２１Ｆの後側の部分であるプラグガイド用後側凹部２２１Ｆ２が形成されている。このプラグガイド用後側凹部２２１Ｆ２の先端上部の上部側にかけての部分であって、シャッタ部２１０Ｆの閉塞用凸部２１０ＦＦ１が回動する領域を含むように、前記閉塞用凸部２１０ＦＦ１通過用凹部２２１Ｆ１１と連続する閉塞用凸部２１０ＦＦ１通過用凹部２２１Ｆ１２が形成されている。
【０２２３】
第２のハウジング部２０５ＦＮの穴部２０５ＦＮ３の奥側に設けられているプラグ先端保持部２２９Ｆは、ソケット２００′のプラグ先端保持部２２９′よりも長めにしてプラグ１００の挿入時の保持力を向上させる一方で、前記長めにしたためにシャッタ部２１０Ｆが接触しないように前面上側に切欠２２９Ｆ１を設けている。
【０２２４】
このように構成されたソケット２００Ｆの組み立て方法は、基本的にソケット２００′の場合と略同様であるので、その説明は省略する。
【０２２５】
ソケット２００Ｆの機構動作は、基本的にはソケット２００′と近似しており、シャッタ部２１０Ｆの閉塞用凸部２１０ＦＦ１が閉塞用凸部２１０ＦＦ１通過用凹部２２１Ｆ１１および閉塞用凸部２１０ＦＦ１通過用凹部２２１Ｆ１２の領域を通過し、第１のハウジング部２０５ＦＭのプラグガイド用前側凹部２２１Ｆ１の前面側部分に嵌まり込み、ソケット２００Ｆの閉塞性が高められる点のみ異なる。
【０２２６】
よって、ソケット２００Ｆの構造を採用すれば、ソケット２００′に近似した構造のもの（シャッタ部が挿入穴部を回動するタイプのもの）であっても、スイッチ４００′のようなスイッチを設けなくて光漏れを防ぐことができるので、前記装置の前面やこの前面以外であって、使用者が目にし易い位置でも、何ら問題なく光コネクタのソケットを設置できる。また、ソケット２００Ｆの構造を採用すれば、埃等の進入に関してもソケット２００′等よりも、より確実に防止できる。
【０２２７】
上述したソケット２００等は、ＤＶＤ( 登録商標) 、ＴＶ、ＳＴＢ（セットトップボックス）、ＣＤ、ＭＤ( 登録商標) 、アンプ等のデジタルオーディオ機器に設けられることで特に有益に機能する。
【０２２８】
【発明の効果】
以上説明したように、本発明の請求項１に係る光コネクタのソケットは、光コネクタのプラグと接続する光コネクタのソケットであって、前記プラグが挿入される挿入穴部が形成されたハウジング部と、前記挿入穴部の入口側に軸部を有するヒンジ機構によって取り付けられ、この挿入穴部を略閉塞するためのシャッタ部と、このシャッタ部を前記入口側へ付勢する弾性体部とを具備しており、前記挿入穴部は、前記シャッタ部を格納するスペースを有し、前記プラグを挿入穴部に挿入する際に、シャッタ部は、プラグの先端部によって押圧されて挿入穴部の内側に入り込み、接続完了すると前記スペースに格納される光コネクタのソケットであって、前記ハウジング部は、シャッタ部が取り付けられる穴部を有する第１のハウジング部と、前記第１のハウジング部が挿入される穴部を有する第２のハウジング部とを有しており、第１のハウジング部の穴部の入口側上部の両側面には、前記シャッタ部の取り付けに伴って前記軸部がセットされる一対の溝がプラグ挿脱方向に向けて設けられており、前記第２のハウジング部には、前記第１のハウジング部の取り付けに伴って前記溝にその開放端から挿入可能な一対の凸部がプラグ挿脱方向に向けて設けられており、前記第１のハウジング部が前記第２のハウジング部の穴部に取り付けられると、前記溝にセットされた前記軸部は第１のハウジング部の溝と第２のハウジング部の凸部とで挟持され、前記挿入穴部の奥側には、光素子が設けられる素子部屋部を有しており、この素子部屋部は、前記第１のハウジング部に当該第１のハウジング部の穴部に連通して設けられた凹状の前面側部と、前記第２のハウジング部の穴部のプラグ挿入方向の奥側部に設けられた凹状の背面側部とからなり、前記光素子は、前記素子部屋部において、前記第１のハウジング部と、前記第２のハウジング部とで挟持固定される。
【０２２９】
よって、本発明の請求項１に係る光コネクタのソケットの場合には、前記第１ハウジング部を第２ハウジング部の穴部に取り付けることにより、前記シャッタの軸部及び光素子の両方を挟持し、当該シャッタ部及び光素子を簡単に取り付けることができるので、量産性に優れている。
【０２３０】
本発明の請求項２に係る光コネクタのソケットは、前記シャッタ部は、前記スペースに格納された状態で、プラグの側面側を保持するようになっている。よって、本発明の請求項２に係る光コネクタのソケットの場合には、挿入後のプラグの保持力をシャッタ部がプラグの保持に寄与することで補い、一般的なＥＩＡＪ規格のソケットの場合に比較的近い保持力によって保持されていることとなる。
【０２３１】
本発明の請求項３の光コネクタのソケットは、前記プラグが前記挿入穴部に挿入された状態で、前記プラグの側面に設けられた位置決め用凸部が前記挿入穴部のスペース対向面に設けられた位置決め用係合部に嵌まり込むようになっている。そのため、本発明の請求項３に係る光コネクタのソケットの場合には、前記挿入穴部に挿入されたプラグの位置決めが確実となる。
【０２３２】
本発明の請求項４の光コネクタのソケットはＤＶＤ（登録商標）、ＴＶ、ＳＴＢ（セットトップボックス）、ＣＤ、ＭＤ（登録商標）、アンプ等のデジタルオーディオ機器に設けられることで、特に有益に機能する。
【図面の簡単な説明】
【図１】本発明の第１の実施の形態に係る光コネクタのソケットを示す一部透視した図であって、同図（Ａ）は正面図、同図（Ｂ）は側面図、同図（Ｃ）は断面図、同図（Ｄ）は底面図である。
【図２】本発明の第１の実施の形態に係る光コネクタのソケットに用いられるハウジング部を示す図であって、同図（Ａ）は正面図、同図（Ｂ）は側面図、同図（Ｃ）は断面図、同図（Ｄ）は底面図である。
【図３】本発明の第１の実施の形態に係る光コネクタのソケットに用いられるシャッタ部を示す図であって、同図（Ａ）は背面図、同図（Ｂ）は同図（Ａ）のＡ−Ａ線での断面図、同図（Ｃ）は側面図、同図（Ｄ）は正面図である。
【図４】本発明の第１の実施の形態に係る光コネクタのソケットに用いられる弾性体部と軸部とを示す図であって、同図（Ａ）は弾性体部の正面図、同図（Ｂ）は弾性体部の側面図、同図（Ｃ）は軸部の正面図である。
【図５】本発明の第１の実施の形態に係る光コネクタのソケットに、ＥＩＡＪ規格の角型プラグを挿入したときの状態を説明する側面視概略的説明図であって、同図（Ａ）は挿入直前の状態図、同図（Ｂ）〜同図（Ｄ）は挿入途中の状態図、同図（Ｅ）は挿入完了時の状態図である。
【図６】本発明のすべての実施の形態に係る光コネクタのソケットに接続させるＥＩＡＪ規格の角型プラグを示す図であって、同図（Ａ）は正面図、同図（Ｂ）は一部破断した側面図である。
【図７】本発明の第１の実施の形態に係る光コネクタのソケットのマイナーチェンジ品を示す図で、同図（Ａ）は平面図、同図（Ｂ）は正面図、同図（Ｃ）は側面視一部透視説明図である。
【図８】本発明の第１の実施の形態に係る光コネクタのソケットのマイナーチェンジ品に用いられるシャッタ部と、弾性体部とを示す図であって、同図（Ａ）はシャッタ部の側面図、同図（Ｂ）はシャッタ部の背面図、同図（Ｃ）は弾性体部の側面図、同図（Ｄ）は弾性体部の正面図である。
【図９】本発明の第１の実施の形態に係る光コネクタのソケットのプラグ先端保持部に円形凸部を延設して突出部とした状態、およびＥＩＡＪ規格の突出部とを説明するための側面視概略的説明図である。
【図１０】本発明の第２の実施の形態に係る光コネクタのソケットに、ＥＩＡＪ規格の角型プラグを挿入したときの状態を説明する側面視概略的説明図であって、同図（Ａ）は挿入直前の状態図、同図（Ｂ）〜同図（Ｄ）は挿入途中の状態図、同図（Ｅ）は挿入完了時の状態図である。
【図１１】本発明の第２の実施の形態に係る光コネクタのソケットに、ＥＩＡＪ規格の角型プラグを挿入する状態を説明するために拡大して示した側面視概略的説明図である。
【図１２】本発明の第３の実施の形態に係る光コネクタのソケットを説明するための側面視概略的説明図である。
【図１３】本発明の第３の実施の形態に係る光コネクタのソケットに用いられるシャッタ部を示す概略図で、同図（Ａ）は一部図示省略した概略的正面図、同図（Ｂ）は一部図示省略した概略的側面図である。
【図１４】本発明の第４の実施の形態に係る光コネクタのソケットを示す図であって、同図（Ａ）は正面図、同図（Ｂ）は側面図、同図（Ｃ）は一部透視した断面図である。
【図１５】本発明の第４の実施の形態に係る光コネクタのソケットに用いられるハウジング本体部を示す図であって、同図（Ａ）は正面図、同図（Ｂ）は側面図、同図（Ｃ）は断面図、同図（Ｄ）は底面図である。
【図１６】本発明の第４の実施の形態に係る光コネクタのソケットに用いられるハウジング延設部を示す図であって、同図（Ａ）は平面図、同図（Ｂ）は正面図、同図（Ｃ）は断面図である。
【図１７】本発明の第４の実施の形態に係る光コネクタのソケットに用いられるシャッタ部を示す図であって、同図（Ａ）は平面図、同図（Ｂ）は正面図、同図（Ｃ）は同図（Ｂ）のＡ−Ａ線での断面図、同図（Ｄ）は側面図、同図（Ｅ）は背面図である。
【図１８】本発明の第５の実施の形態に係る光コネクタを示す一部透視した図であって、同図（Ａ）は正面図、同図（Ｂ）は側面図、同図（Ｃ）は断面図である。
【図１９】本発明の第５の実施の形態に係る光コネクタに用いられるハウジング延設部を示す図であって、同図（Ａ）は平面図、同図（Ｂ）は側面図、同図（Ｃ）は正面図、同図（Ｄ）は同図（Ｃ）のＡ−Ａ線での断面図、同図（Ｅ）は同図（Ｂ）のＣ−Ｃ線での断面図、同図（Ｆ）は同図（Ｂ）のＢ−Ｂ線での断面図である。
【図２０】本発明の第５の実施の形態に係る光コネクタに用いられるスイッチの固定切片部を示す図であって、同図（Ａ）は平面図、同図（Ｂ）は正面図、同図（Ｃ）は側面図である。
【図２１】本発明の第５の実施の形態に係る光コネクタに用いられるスイッチの可動切片部を示す図であって、同図（Ａ）は側面図、同図（Ｂ）は正面図、同図（Ｃ）は平面図、同図（Ｄ）は背面図である。
【図２２】本発明の第６の実施の形態に係る光コネクタのソケットを説明するための側面視概略的説明図である。
【図２３】本発明の第７の実施の形態に係る光コネクタのソケットを示す概略的斜視図である。
【図２４】本発明の第７の実施の形態に係る光コネクタのソケットに、ＥＩＡＪ規格の角型プラグを挿入したときの状態を説明する側面視概略的説明図であって、同図（Ａ）は挿入直前の状態図、同図（Ｂ）および同図（Ｃ）は挿入途中の状態図、同図（Ｄ）は挿入完了時の状態図である〔尚、弾性体部は同図（Ｄ）においてのみ図示した。〕。
【図２５】本発明の第８の実施の形態に係る光コネクタのソケットに用いられる第２のハウジング部を示す図であって、同図（Ａ）は側面図、同図（Ｂ）は正面図、同図（Ｃ）は断面図、同図（Ｄ）は背面図、同図（Ｅ）は底面図である。
【図２６】本発明の第８の実施の形態に係る光コネクタのソケットに用いられる第１のハウジング部を示す図であって、同図（Ａ）は側面図、同図（Ｂ）は正面図、同図（Ｃ）は断面図、同図（Ｄ）は背面図、同図（Ｅ）は底面図、同図（Ｆ）は同図（Ｅ）のＪで指示した部分の拡大図である。
【図２７】本発明の第８の実施の形態に係る光コネクタのソケットの組み立て方を説明するための説明図であって、同図（Ａ）から同図（Ｆ）の方向に組み上がっている様子を示している。ただし、同図（Ｅ）は光素子を設置していない状態を示す参考図である。
【図２８】本発明の第９の実施の形態に係る光コネクタのソケットを示す正面図であって、第１のハウジング部に対して第２のハウジング部をセットする前の状態図である。
【図２９】本発明の第１０の実施の形態に係る光コネクタのソケットを示す断面図である。
【図３０】本発明の第１１の実施の形態に係る光コネクタのソケットを示す図であって、同図（Ａ）は側面図、同図（Ｂ）は正面図、同図（Ｃ）は断面図、同図（Ｄ）は背面図、同図（Ｅ）は底面図である。
【図３１】本発明の第１２の実施の形態に係る光コネクタのソケットを示す図であって、同図（Ａ）は正面図、同図（Ｂ）は側面図、同図（Ｃ）は断面図である。
【図３２】本発明の第１２の実施の形態に係る光コネクタのソケットに用いられる第２のハウジング部を示す図であって、同図（Ａ）は側面図、同図（Ｂ）は正面図、同図（Ｃ）は断面図である。
【図３３】本発明の第１２の実施の形態に係る光コネクタのソケットに用いられる第１のハウジング部を示す図であって、同図（Ａ）は正面図、同図（Ｂ）は側面図、同図（Ｃ）は背面図、同図（Ｄ）は断面図である。
【図３４】本発明の第１２の実施の形態に係る光コネクタのソケットに用いられるシャッタ部を示す図であって、同図（Ａ）は正面図、同図（Ｂ）は側面図、同図（Ｃ）は背面図、同図（Ｄ）は底面図である。
【符号の説明】
２００    光コネクタのソケット
２１０    シャッタ部
２２０    挿入穴部
２２５    スペース
２３０    弾性体部
【図１】
0003842224.tif 000002
【図２】
0003842224.tif 000003
【図３】
0003842224.tif 000004
【図４】
0003842224.tif 000005
【図５】
0003842224.tif 000006
【図６】
0003842224.tif 000007
【図７】
0003842224.tif 000008
【図８】
0003842224.tif 000009
【図９】
0003842224.tif 000010
【図１０】
0003842224.tif 000011
【図１１】
0003842224.tif 000012
【図１２】
0003842224.tif 000013
【図１３】
0003842224.tif 000014
【図１４】
0003842224.tif 000015
【図１５】
0003842224.tif 000016
【図１６】
0003842224.tif 000017
【図１７】
0003842224.tif 000018
【図１８】
0003842224.tif 000019
【図１９】
0003842224.tif 000020
【図２０】
0003842224.tif 000021
【図２１】
0003842224.tif 000022
【図２２】
0003842224.tif 000023
【図２３】
0003842224.tif 000024
【図２４】
0003842224.tif 000025
【図２５】
0003842224.tif 000026
【図２６】
0003842224.tif 000027
【図２７】
0003842224.tif 000028
【図２８】
0003842224.tif 000029
【図２９】
0003842224.tif 000030
【図３０】
0003842224.tif 000031
【図３１】
0003842224.tif 000032
【図３２】
0003842224.tif 000033
【図３３】
0003842224.tif 000034
【図３４】
0003842224.tif 000035